(57)【要約】【課題】光学系の小型化・薄型化と色収差を中心とした諸収差が良好に補正された結像光学系を得ること。また、電子撮像装置において、画像を鮮鋭化させるとともに、色にじみの発生を防止すること。【解決手段】結像光学系において、開口絞りより物体側に正レンズ群が配置され、  θgF1＝α1×νd1＋βgF1（但し、α1＝−０．００２６４）で表される直線を設定し第１の条件式の範囲の下限値であるときの直線、及び上限値であるときの直線で定まる領域と、      ｎd1＝ａ1×νd1＋ｂ1（但し、ａ1＝−０．０２６７）で表される直線を設定し、第２の条件式の範囲の下限値であるときの直線、及び上限値であるときの直線で定まる領域と、第３の条件式で定まる領域との３つの領域に、正のレンズ群を構成する少なくとも一つのレンズＬAのθgF1等が含まれる。【選択図】図１
2010026293.tif 000002
【特許請求の範囲】
【請求項１】
正のレンズ群と、負のレンズ群と、開口絞りとを有する結像光学系において、
前記開口絞りより物体側に前記正のレンズ群が配置され、
横軸をνd1、及び縦軸をθgF1とする直交座標系において、
θgF1＝α1×νd1＋βgF1（但し、α1＝−０．００２６４）
で表される直線を設定したときに、以下の条件式（１）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記正のレンズ群を構成する少なくとも一つのレンズＬAのθgF1及びｎd1及びνd1が含まれることを特徴とする結像光学系。
０．６０５０＜βgF1＜０．７１５０  …（１）
２．０＜ｂ1＜２．４（但し、ｎd1＞１．３）  …（２）
１０＜νd1＜２８  …（３）  
ここで、
θgF1は前記レンズＬAの部分分散比（ｎg1−ｎF1）／（ｎF1−ｎC1）、
νd1は前記レンズＬAのアッベ数（ｎd1−1）／（ｎF1−ｎC1）、
ｎd1、ｎC1、ｎF1、ｎg1は各々前記レンズＬAのｄ線、Ｃ線、Ｆ線、ｇ線の屈折率を表す。
【請求項２】
前記直交座標とは別の、横軸をνd1、及び縦軸をθhg1とする直交座標系において、
θhg1＝αhg1×νd1＋βhg1（但し、αhg1＝−０．００３８８）
で表される直線を設定したときに、以下の条件式（４）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記レンズＬAのθhg1及びｎd1及びνd1が含まれることを特徴とする請求項１に記載の結像光学系。
０．５０００＜βhg1＜０．６７５０  …（４）
２．０＜ｂ1＜２．４（但し、ｎd1＞１．３）  …（２）
１０＜νd1＜２８  …（３）  
ここで、
θhg1は前記レンズＬAの部分分散比（ｎh1−ｎg1）／（ｎF1−ｎC1）、
ｎh1は前記レンズＬAのｈ線の屈折率を表す。
【請求項３】
前記レンズＬAは接合レンズを構成するレンズであることを特徴とする請求項１または２に記載の結像光学系。
【請求項４】
前記レンズＬAは、接合される側の面（接合面）が非球面にて構成されている請求項３に記載の結像光学系。
【請求項５】
近軸焦点距離が負の値のレンズを負レンズとしたとき、前記レンズＬAが負レンズであることを特徴とする請求項１〜４のいずれか一項に記載の結像光学系。
【請求項６】
近軸焦点距離が正の値のレンズを正レンズとしたとき、前記レンズＬAが接合される相手のレンズＬBは正レンズであり、以下の条件を満足することを特徴とする請求項５に記載の結像光学系。
νd1−νd2≦−１０  …（５）
ここで、
νd1は前記レンズＬAのアッベ数（ｎd1−１）／（ｎF1−ｎC1）、
νd2は前記レンズＬBのアッベ数（ｎd2−１）／（ｎF2−ｎC2）である。
【請求項７】
前記結像光学系は全体として４つ乃至５つのレンズ群からなるズームレンズであって、変倍時に、光軸上における相対的間隔が各々のレンズ群で変化することを特徴とする請求項１〜６のいずれか一項に記載の結像光学系。
【請求項８】
前記開口絞りより物体側に負のレンズ群が配置され、
横軸をνd3、及び縦軸をθgF3とする直交座標系において、
θgF3＝α3×νd3＋βgF3（但し、α3＝−０．００２６４）
で表される直線を設定したときに、以下の条件式（８）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（９）の範囲の下限値であるときの直線、及び上限値であるときの直線で定まる領域と、
以下の条件式（１０）で定まる領域との３つの領域に、前記負のレンズ群を構成する少なくとも一つのレンズＬCのθgF及びｎd3及びνd3が含まれることを特徴とする請求項７に記載の結像光学系。
０．６０５０＜βgF3＜０．７１５０  …（８）
２．０＜ｂ3＜２．４（但し、ｎd3＞１．３）  …（９）
１０＜νd3＜２８  …（１０）  
ここで、
θgF3は前記レンズＬCの部分分散比（ｎg3−ｎF3）／（ｎF3−ｎC3）、
νd3は前記レンズＬCのアッベ数（ｎd3−1）／（ｎF3−ｎC3）、
ｎd3、ｎC3、ｎF3、ｎg3は各々レンズＬCのｄ線、Ｃ線、Ｆ線、ｇ線の屈折率を表す。
【請求項９】
近軸焦点距離が正の値のレンズを正レンズとしたとき、前記レンズＬCが正レンズであることを特徴とする請求項８に記載の結像光学系。
【請求項１０】
請求項１〜９のいずれか一項に記載の結像光学系と、
電子撮像素子と、
前記結像光学系を通じて結像された像を前記電子撮像素子で撮像することによって得られた画像データを加工して前記像の形状を変化させた画像データとして出力する画像処理手段を有し、
前記結像光学系がズームレンズであり、
該ズームレンズが、無限遠物点合焦時に以下の条件式（１１）を満足することを特徴とする電子撮像装置。
０．７＜ｙ07／（ｆｗ・ｔａｎω07w）＜０．９６  …（１１）
ここで、ｙ07は前記電子撮像素子の有効撮像面内（撮像可能な面内）で中心から最も遠い点までの距離（最大像高）をｙ10としたときｙ07＝０．７ｙ10で表され、ω07wは広角端における撮像面上の中心からｙ07の位置に結ぶ像点に対応する物点方向の光軸に対する角度、ｆｗは広角端における前記結像光学系の全系の焦点距離である。
【発明の詳細な説明】
【技術分野】
【０００１】
本発明は、撮像モジュールに使用される結像光学系（ズーム光学系）及び該結像光学系を有する電子撮像装置に関するものである。
【背景技術】
【０００２】
近年、銀塩３５ｍｍフィルムカメラに代わる次世代カメラとしてデジタルカメラが普及してきている。まずコンパクトタイプのデジタルカメラが普及したが、このコンパクトタイプのデジタルカメラは、特に最近ではますます小型化・薄型化されてきている。また、同時に普及しつつある携帯電話にまでカメラ機能が搭載されてきている（以下、カメラ機能を「撮像モジュール」という）。一方、交換レンズ方式の一眼レフレックスタイプのデジタルカメラも急速に市場を伸ばしている。このタイプのデジタルカメラも画質と軽量化の両立が求められている。いずれにおいても画質と小型軽量化をさらに高いレベルで両立できる新たな技術が求められている。
【０００３】
コンパクトタイプのデジタルカメラや携帯電話の撮像モジュール用光学系には、ズームレンズが搭載されてきている。このズームレンズを小型化・薄型化するための代表的な手段としては、次の２つの手段Ａ、Ｂが考えられる。
Ａ．沈胴式鏡筒を採用して、光学系を筐体の厚み（奥行き）方向に収納する。この沈胴式鏡筒は、撮影時に光学系がカメラ筐体内からせり出し、携帯時にはカメラ筐体内に収納される構造の鏡筒である。
Ｂ．屈曲光学系を採用して、光学系を筐体の幅方向あるいは高さ方向に収納する。この屈曲光学系は、光学系の光路（光軸）を、ミラーやプリズムなど反射光学素子で折り曲げる構成の光学系である。
【０００４】
上記Ａの手段を用いた従来例としては、例えば、以下の特許文献１に記載のものが、上記Ｂの手段を用いた従来例としては、例えば、以下の特許文献２に記載のものがある。
【０００５】
また、一眼レフレックスカメラ用の交換レンズも含めて、光学系を小型化・薄型化および軽量化するためには色収差の補正が重要な課題になる。従来のガラスにはない有効な分散特性あるいは部分分散特性を有する透明媒質が以下の文献３、４、５にて知られている。
【０００６】
さらに、電子撮像素子を用いた電子撮像装置ではｈ線（４０４．６６ｎｍ）の色収差によるフレアが発生しやすい。このため、ｈ線の色収差補正の重要性を説いた以下の文献６が知られている。
【０００７】
また、４００ｎｍ近傍の色収差を補正できるような所望の部分分散特性を有する光学媒質がない。このために、４００ｎｍの透過率を意図的に下げて撮像し、撮像後に撮像装置の画像処理機能を用いて色再現を整える趣旨の以下の文献７が知られている。
【０００８】
その他、光学材料の特に短波長側の部分分散特性が不満足なために、光学系自身で補正できなかった色フレアを画像処理にて補正する以下の文献８、９が知られている。
【０００９】
【特許文献１】特開２００２−３６５５４５号公報
【特許文献２】特開２００３−４３３５４号公報
【特許文献３】特開２００５−１８１３９２号公報
【特許文献４】特開２００５−３５２２６５号公報
【特許文献５】特開２００６−００３５４４号公報
【特許文献６】特開２００１−２０８９６４号公報
【特許文献７】特開２００１−０２１８０５号公報
【特許文献８】特開２００１−１４５１１７号公報
【特許文献９】特開２００１−２６８５８３号公報
【発明の開示】
【発明が解決しようとする課題】
【００１０】
しかし、特許文献１に記載の上記Ａの手段を用いた構成では、光学系を構成するレンズの枚数、あるいは移動レンズ群の数がまだまだ多い。そのため、筐体を小型化・薄型化することは困難である。
【００１１】
また、特許文献２に記載の上記Ｂの手段を用いた構成は、上記Ａの手段を用いた場合よりも、筐体を薄くしやすい。しかしながら、変倍時の可動レンズ群の移動量や、光学系を構成するレンズの枚数が多くなりがちになる。そのため、体積的には決して小型化には向いていない。
【００１２】
また、特許文献３、４に記載の光学媒質は、分散特性が通常の光学ガラスと比べて著しく異なっている。このような光学媒質を使用した場合、特に各レンズ群の構成枚数が少ないズームレンズや全体として構成枚数の少ない単焦点レンズに使用すると却って色収差を増大してしまうことになる。そのため、結局は枚数増加をきたし、小型化には結びつかない。
【００１３】
また、特許文献５には低分散および高分散において部分分散比に特殊性を有する光学媒質が開示されている。
【００１４】
さらに、特許文献６、７、８、９では、光学系にて色フレアを除去する具体的な有効手段が記載されていない。
【００１５】
本発明は、上記従来の課題に鑑みてなされたものであり、光学系の小型化・薄型化と色収差を中心とした諸収差が良好に補正された結像光学系を得ること、また、電子撮像装置において、画像を鮮鋭化させるとともに、色にじみの発生を防止することを目的とする。
【課題を解決するための手段】
【００１６】
上記目的を達成するため、本発明による光学系は、正のレンズ群と、負のレンズ群と、絞りとを有する結像光学系において、
前記絞りより物体側に前記正のレンズ群が配置され、
横軸をνd1、及び縦軸をθgF1とする直交座標系において、
θgF1＝α1×νd1＋βgF1（但し、α1＝−０．００２６４）
で表される直線を設定したときに、以下の条件式（１）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記正のレンズ群を構成する少なくとも一つのレンズＬAのθgF1及びｎd1及びνd1が含まれることを特徴とするものである。
０．６０５０＜βgF1＜０．７１５０          …（１）
２．０＜ｂ1＜２．４（但し、ｎd1＞１．３）  …（２）
１０＜νd1＜２８                           …（３）  
ここで、
θgF1は前記レンズＬAの部分分散比（ｎg1−ｎF1）／（ｎF1−ｎC1）、
νd1は前記レンズＬAのアッベ数（ｎd1−1）／（ｎF1−ｎC1）、
ｎd1、ｎC1、ｎF1、ｎg1は各々前記レンズＬAのｄ線、Ｃ線、Ｆ線、ｇ線の屈折率を表す。
【００１７】
また、本発明の好ましい態様によれば、前記直交座標とは別の、横軸をνd1、及び縦軸をθhg1とする直交座標系において
θhg1＝αhg1×νd1＋βhg1（但し、αhg1＝−０．００３８８）
で表される直線を設定したときに、以下の条件式（４）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、前記レンズＬAのθhg1及びｎd1及びνd1が含まれる結像光学系であることが好ましい。
０．５０００＜βhg1＜０．６７５０  …（４）
２．０＜ｂ1＜２．４（但し、ｎd1＞１．３）  …（２）
１０＜νd1＜２８  …（３）  
ここで、
前記レンズＬAのθhg1は部分分散比（ｎh1−ｎg1）／（ｎF1−ｎC1）、
ｎh1は前記レンズＬAのｈ線の屈折率を表す。
【００１８】
なお、本発明の好ましい態様によれば、前記レンズＬAは接合レンズを構成するレンズであることが好ましい。
【００１９】
また、本発明の好ましい態様によれば、前記レンズＬAは、接合される側の面（接合面）が非球面にて構成されていることが好ましい。
【００２０】
また、本発明の好ましい態様によれば、近軸焦点距離が負の値のレンズを負レンズとしたとき、前記レンズＬAが負レンズであることが好ましい。
【００２１】
また、本発明の好ましい態様によれば、近軸焦点距離が正の値のレンズを正レンズとしたとき、前記レンズＬAが接合される相手のレンズＬBは正レンズであり、以下の条件を満足するのが好ましい。
【００２２】
νd1−νd2≦−１０  …（５）
ここで、
νd1は前記レンズＬAのアッベ数（ｎd1−１）／（ｎF1−ｎC1）、
νd2は前記レンズＬBのアッベ数（ｎd2−１）／（ｎF2−ｎC2）である。
【００２３】
また、本発明の好ましい態様によれば、近軸焦点距離が正の値のレンズを正レンズとしたとき、前記レンズＬAが接合される相手のレンズＬBは正レンズであり、以下の条件を満足するのが好ましい。
｜θgF1−θgF2｜≦０．１５０  …（６）
ここで、
θgF1は前記レンズＬAの部分分散比（ｎg1−ｎF1）／（ｎF1−ｎC1）、
θgF2は前記レンズＬBの部分分散比（ｎg2−ｎF2）／（ｎF2−ｎC2）である。
【００２４】
また、本発明の好ましい態様によれば、近軸焦点距離が正の値のレンズを正レンズとしたとき、前記レンズＬAが接合される相手のレンズＬBは正レンズであり、以下の条件を満足するのが好ましい。
｜θhg1−θhg2｜≦０．２００  …（７）
ここで、
θhg1は前記レンズＬAの部分分散比（ｎh1−ｎg1）／（ｎF1−ｎC1）、
θhg2は前記レンズＬBの部分分散比（ｎh2−ｎg2）／（ｎF2−ｎC2）である。
【００２５】
なお、接合レンズが３枚以上の接合となっている場合は、負レンズのうちβgF1の値が最も小さい負レンズを前記レンズＬAとし、正レンズのうちβgF2の値が最も大きい正レンズを前記レンズＬBとする。
【００２６】
また、前記結像光学系は全体として４つ乃至５つのレンズ群からなるズームレンズであって、変倍時に、光軸上における相対的間隔が各々のレンズ群で変化することが好ましい。
【００２７】
また、本発明の好ましい態様によれば、前記開口絞りより物体側に変倍時に前記負のレンズ群が配置され、
横軸をνd3、及び縦軸をθgF3とする直交座標系において、
θgF3＝α3×νd3＋βgF3（但し、α3＝−０．００２６４）
で表される直線を設定したときに、以下の条件式（８）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（９）の範囲の下限値であるときの直線、及び上限値であるときの直線で定まる領域と、
以下の条件式（１０）で定まる領域との３つの領域に、前記負のレンズ群を構成する少なくとも一つのレンズＬCのθgF3及びｎd3及びνd3が含まれることが好ましい。
０．６０５０＜βgF3＜０．７１５０  …（８）
２．０＜ｂ3＜２．４（但し、ｎd3＞１．３）  …（９）
１０＜νd3＜２８  …（１０）  
ここで、
θgF3は前記レンズＬCの部分分散比（ｎg3−ｎF3）／（ｎF3−ｎC3）、
νd3は前記レンズＬCのアッベ数（ｎd3−1）／（ｎF3−ｎC3）、
ｎd3、ｎC3、ｎF3、ｎg3は各々前記レンズＬCのｄ線、Ｃ線、Ｆ線、ｇ線の屈折率を表す。
【００２８】
また、本発明の好ましい態様によれば、前記直交座標とは別の、横軸をνd3、及び縦軸をθhg3とする直交座標系において
θhg3＝αhg3×νd3＋βhg3（但し、αhg3＝−０．００３８８）
で表される直線を設定したときに、  以下の条件式（１１）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（９）の範囲の下限値であるときの直線、及び上限値であるときの直線で定まる領域と、
以下の条件式（１０）で定まる領域との３つの領域に、前記レンズＬCのθhg3及びｎd3及びνd3が含まれる結像光学系であることが好ましい。
０．５１００＜βhg3＜０．６７５０  …（１１）
２．０＜ｂ3＜２．４（但し、ｎd3＞１．３）  …（９）
１０＜νd3＜３５  …（１０）  
ここで、
θhg3は前記レンズＬCの部分分散比（ｎh3−ｎg3）／（ｎF3−ｎC3）、
ｎh3は前記レンズＬCのｈ線の屈折率を表す。
【００２９】
なお、本発明の好ましい態様によれば、前記レンズＬCは接合レンズを構成するレンズであることが好ましい。
【００３０】
また、本発明の好ましい態様によれば、前記レンズＬCは、接合される側の面（接合面）が非球面にて構成されていることが好ましい。
【００３１】
また、本発明の好ましい態様によれば、近軸焦点距離が正の値のレンズを正レンズとしたとき、前記レンズＬCが正レンズであることが好ましい。
【００３２】
また、本発明の好ましい態様によれば、近軸焦点距離が負の値のレンズを負レンズとしたとき、前記レンズＬCが接合される相手のレンズＬDは負レンズであり、以下の条件を満足するのが好ましい。
【００３３】
νd3−νd4≦−１５  …（１２）
ここで、
νd3は前記レンズＬCのアッベ数（ｎd3−１）／（ｎF3−ｎC3）、
νd4は前記レンズＬDのアッベ数（ｎd4−１）／（ｎF4−ｎC4）である。
【００３４】
また、本発明の好ましい態様によれば、近軸焦点距離が負の値のレンズを負レンズとしたとき、前記レンズＬCが接合される相手のレンズＬDは負レンズであり、以下の条件を満足するのが好ましい。
｜θgF3−θgF4｜≦０．１０  …（１３）
ここで、
θgF3は前記レンズＬCの部分分散比（ｎg3−ｎF3）／（ｎF3−ｎC3）、
θgF4は前記レンズＬDの部分分散比（ｎg4−ｎF4）／（ｎF4−ｎC4）である。
【００３５】
また、本発明の好ましい態様によれば、近軸焦点距離が負の値のレンズを負レンズとしたとき、前記レンズＬCが接合される相手のレンズＬDは負レンズであり、以下の条件を満足するのが好ましい。
｜θhg3−θhg4｜≦０．２０  …（１４）
ここで、
θhg3は前記レンズＬCの部分分散比（ｎh3−ｎg3）／（ｎF3−ｎC3）、
θhg4は前記レンズＬDの部分分散比（ｎh4−ｎg4）／（ｎF4−ｎC4）である。
【００３６】
なお、接合レンズが３枚以上の接合となっている場合は、正レンズのうちβgF3の値が最も小さい正レンズを前記レンズＬCとし、負レンズのうちβgF4の値が最も大きい負レンズを前記レンズＬDとする。
【００３７】
また、結像光学系（特にズームレンズ）の奥行き寸法を薄くするために、光路を屈曲するためのプリズムを有することが好ましい。特に、プリズムは物体側から最初の正レンズ群にあることが好ましい。
【００３８】
また、本発明の電子撮像装置は、上述の結像光学系と、電子撮像素子と、前記結像光学系を通じて結像された像を前記電子撮像素子で撮像することによって得られた画像データを加工して前記像の形状を変化させた画像データとして出力する画像処理手段を有し、
前記結像光学系がズームレンズであり、
該ズームレンズが、無限遠物点合焦時に以下の条件式（１１）を満足することを特徴とする。
０．７＜ｙ07／（ｆｗ・ｔａｎω07w）＜０．９６  …（１１）
ここで、ｙ07は前記電子撮像素子の有効撮像面内（撮像可能な面内）で中心から最も遠い点までの距離（最大像高）をｙ10としたとき、ｙ07＝０．７ｙ10で表され、ω07wは広角端における撮像面上の中心からｙ07の位置に結ぶ像点に対応する物点方向の光軸に対する角度、ｆｗは広角端における前記結像光学系の全系の焦点距離である。
【発明の効果】
【００３９】
本発明によれば、光学系の小型化・薄型化・軽量化と、色収差を中心とした諸収差が良好に補正された結像光学系を獲得することができる。また、電子撮像装置にこのような結像光学系を用いることで、画像の鮮鋭化、色にじみの発生の防止が図れる。
【発明を実施するための最良の形態】
【００４０】
実施例の説明に先立ち、本実施形態の結像光学系の作用効果について説明する。
本実施形態の結像光学系は正のレンズ群と、負のレンズ群と、絞りとを有し、絞りより物体側の正のレンズ群に部分分散比が特殊な材料からなるレンズ、あるいはそれを別のレンズに接合して用いている。そのため、特にズームレンズあるいは望遠レンズにおいて、広い波長帯域に亘り、変倍時の軸上及び倍率色収差の変動を容易に抑えることができる。また、枚数が少なくかつ薄いレンズ構成にしてもズームあるいはフォーカス全域に亘り色にじみの発生を十分に抑制することが可能である。
【００４１】
また、絞りより物体側の正のレンズ群は厚くなりがちであるが、本実施形態の結像光学系では、絞りより物体側の正のレンズ群を薄く出来る。このため、最も物体側の面頂から入射瞳までの距離を浅く（短く）できる。さらに、絞りより物体側のレンズ群を薄くできるという相乗効果もある。
【００４２】
そして、本実施形態の結像光学系では、横軸をνd1、及び縦軸をθgF1とする直交座標系において、
θgF1＝α1×νd1＋βgF1（但し、α1＝−０．００２６４）
で表される直線を設定したときに、以下の条件式（１）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、正のレンズ群を構成する少なくとも一つのレンズＬAのθgF1及びｎd1及びνd1が含まれる。
０．６０５０＜βgF1＜０．７１５０          …（１）
２．０＜ｂ1＜２．４（但し、ｎd1＞１．３）  …（２）
１０＜νd1＜２８                           …（３）  
ここで、
θgF1はレンズＬAの部分分散比（ｎg1−ｎF1）／（ｎF1−ｎC1）、
νd1はレンズＬAのアッベ数（ｎd1−1）／（ｎF1−ｎC1）、
ｎd1、ｎC1、ｎF1、ｎg1は各々レンズＬAのｄ線、Ｃ線、Ｆ線、ｇ線の屈折率を表す。
【００４３】
条件式（１）はレンズＬAの硝材の部分分散比θgF1に関するものである。その範囲を外れる硝材をレンズＬAに用いた場合、望遠側における二次スペクトルによる軸上色収差と、倍率色収差つまりＦ線とＣ線で色消しをしたときのｇ線の軸上色収差と倍率色収差の補正が十分でなくなる。そのため、特に望遠側の撮像で得た画像において、画面全体に亘り鮮鋭さを確保しづらい。単焦点レンズの場合も同様である。
【００４４】
条件式（２）はレンズＬAの硝材の屈折率に関するものである。その上限値を上回る硝材を用いた場合、レンズＬAを用いたレンズ群としてのペッツバール和が大きくなりい。そのため結像光学系全体としての像面湾曲量の補正がしづらい。 一方、条件式（２）の下限値を下回る硝材を用いた場合、レンズＬAを用いたとしてもレンズ群としての球面収差が大きくなりやすい。そのため、結像光学系全体としての球面収差の補正がしづらくなる。
【００４５】
条件式（３）はレンズＬAの硝材のアッベ数に関するものである。その上限値を上回る硝材を用いた場合、そもそもＦ線とＣ線との色消し自体が困難となり好ましくない。下限値を下回る硝材を用いた場合、Ｆ線とＣ線との色消しが出来たとしても、ザイデルの５収差に対する補正効果が少なくなる。
【００４６】
なお、条件式（１）に代えて、次の条件式（１’）を満足すると、より好ましい。
０．６０５０＜βgF1＜０．６９５０  …（１’）
さらに、条件式（１）に代えて、次の条件式（１”）を満足すると、より一層好ましい。
０．６０５０＜βgF1＜０．６９０３  …（１”）
さらに、条件式（１）に代えて、次の条件式（１”’）を満足すると最もよい。
０．６７３２＜βgF1≦０．６８２０  …（１”’）
【００４７】
なお、条件式（２）に代えて、次の条件式（２’）を満足すると、より好ましい。
２．０６＜ｂ1＜２．３４（但し、ｎd1＞１．３）  …（２’）
さらに、条件式（２）に代えて、次の条件式（２”）を満足すると、より一層好ましい。
２．１１＜ｂ1＜２．２８（但し、ｎd1＞１．３）  …（２”）
【００４８】
なお、条件式（３）に代えて、次の条件式（３’）を満足すると、より好ましい。
１２．５＜νd1＜２６．３  …（３’）
さらに、条件式（３）に代えて、次の条件式（３”）を満足すると、より一層好ましい。
１４．８＜νd1＜２４．８  …（３”）
さらに、条件式（３）に代えて、次の条件式（３”）を満足すると最もよい。
１４．８＜νd1＜２３．３  …（３”）
【００４９】
また、本実施形態の結像光学系では、前記直交座標とは別の、横軸をνd1、及び縦軸をθhg1とする直交座標系において、
θhg1＝αhg1×νd1＋βhg1（但し、αhg1＝−０．００３８８）
で表される直線を設定したときに、以下の条件式（４）の範囲の下限値であるときの直線、及び上限値であるときの直線で定まる領域と、
横軸をνd1、及び縦軸をｎd1とする直交座標系において、
ｎd1＝ａ1×νd1＋ｂ1（但し、ａ1＝−０．０２６７）
で表される直線を設定したときに、以下の条件式（２）の範囲の下限値であるときの直線、及び上限値であるときの直線で定まる領域と、
以下の条件式（３）で定まる領域との３つの領域に、レンズＬAのθhg1及びｎd1及びνd1が含まれるようにするとなおよい。
０．５０００＜βhg1＜０．６７５０          …（４）
２．０＜ｂ1＜２．４（但し、ｎd1＞１．３）  …（２）
１０＜νd1＜２８                           …（３）  
ここで、
θhg1はレンズＬAの部分分散比（ｎh1−ｎg1）／（ｎF1−ｎC1）、
ｎh1はレンズＬAのｈ線の屈折率を表す。
【００５０】
条件式（４）はレンズＬAの硝材の部分分散比θhg1に関するものである。 その範囲を外れる硝材をレンズＬAに用いた場合、望遠側における二次スペクトルによる軸上色収差と倍率色収差、つまりＦ線とＣ線で色消しをしたときのｈ線の軸上色収差と倍率色収差の補正が十分でなくなる。そのため、特に望遠側の撮像で得た画像において、画面全体に亘り紫の色フレア、色にじみが発生しやすい。
【００５１】
なお、条件式（４）に代えて、次の条件式（４’）を満足すると、より好ましい。
０．５３００＜βhg1＜０．６７５０  …（４’）
さらに、条件式（４）に代えて、次の条件式（４”）を満足すると、より一層好ましい。
０．５４４０＜βhg1＜０．６７５０  …（４”）
さらに、条件式（４）に代えて、次の条件式（４”’）を満足すると最もよい。
０．５５８０＜βhg1≦０．６６００  …（４”’）
【００５２】
また、レンズＬAは、接合レンズを構成するレンズに用いるのが良い。このようにすれば、接合の界面（接合面）における色収差（Ｃ線とＦ線の色収差や二次スペクトルなど分散特性に起因する色収差、および、色の球面収差、色コマ、倍率色収差など開口比や像高に関する３次以上の高次収差成分）の補正効果が増大する。特に、分散特性に起因する色収差については、条件式（１）、（２）、（３）と相まってその補正効果が顕著にあらわれる。
【００５３】
また、レンズＬAは、その接合側の面を非球面とするのが良い。このようにすれば、色収差について、開口比や像高に関する３次以上の高次収差成分の補正効果が顕著にあらわれる。
【００５４】
ところで、結像光学系の絞りよりも物体側に配置された正レンズ群は、まず一次の色収差を補正するために、低分散の正レンズ要素と高分散の負レンズ要素をいくつかずつ組み合わせて構成されるのが好ましい。また、正レンズ群のＣ線とＦ線の色消しを行っておくと光学系全体で発生する一次の色収差を補正しやすくなる。ここで、本実施形態の結像光学系では、レンズＬAの硝材はそのアッベ数に関する条件式（３）を満たすため、レンズＬAは負レンズとなる。なお、正レンズとは近軸焦点距離が正の値のレンズ、負レンズとは近軸焦点距離が負の値のレンズをさす。
【００５５】
そして、レンズＬAの接合相手となるレンズＬBは正レンズとし、以下の条件式（５）を満足するのが好ましい。
νd1−νd2≦−１０  …（５）
ここで、
νd1はレンズＬAのアッベ数（ｎd1−１）／（ｎF1−ｎC1）、
νd2はレンズＬBのアッベ数（ｎd2−１）／（ｎF2−ｎC2）である。
【００５６】
この場合、レンズＬAとレンズＬBという異符号の屈折力の組み合わせとなるので、色収差の補正が良好に行える。特に、この組み合わせで上記条件式（５）を満足すると、軸上色収差と倍率色収差についてＣ線とＦ線の色消しがしやすい。
【００５７】
また、上記条件式（５）に代えて、条件式（５’） を満足するのがより望ましい。
νd1−νd2≦−１３  …（５’）
さらに、上記条件式（５）に代えて、条件式（５”） を満足すると最も良い。
νd1−νd2≦−１６  …（５”）
【００５８】
一方、部分分散比θgF、θhgは、高分散の光学材料の方が低分散の光学材料に比べて一般的に大きい。そのため、軸上色収差をＣ線とＦ線にて補正すると、ｇ線やｈ線の軸上色収差は正の値をとる。つまり、２次スペクトルが発生する。一方、倍率色収差をＣ線とＦ線にて補正すると、ｇ線やｈ線の倍率色収差は負の値をとる。従って、レンズＬA（高分散負レンズ）とレンズＬB（低分散正レンズ）の部分分散比θgF、θhgの差を極力小さくして、ｇ線やｈ線の色消しを行っておくのが好ましい。このようにすれば、結果的に光学系全体で発生する色収差を補正しやすくなる。
【００５９】
具体的には、レンズＬAの接合相手となるレンズＬBは正レンズとし、θgFについて以下の条件式（６）を満足するのが好ましい。
｜θgF1−θgF2｜≦０．１５０  …（６）
ここで、
θgF1はレンズＬAの部分分散比（ｎg1−ｎF1）／（ｎF1−ｎC1）、
θgF2はレンズＬBの部分分散比（ｎg2−ｎF2）／（ｎF2−ｎC2）である。
【００６０】
条件式（６）を満足すると、二次スペクトル（色収差）に対する補正効果が大きくなる。その結果、撮像で得た画像において鮮鋭性が増す。このことは、特に、望遠端側の画像全体で顕著にあらわれる。
【００６１】
また、上記条件式（６）に代えて、条件式（６’）を満足するのがより望ましい。
｜θgF1−θgF2｜≦０．１２０  …（６’）
さらに、上記条件式（６）に代えて、条件式（６”）を満足すると最も良い。
｜θgF1−θgF2｜≦０．１０５  …（６”）
【００６２】
また、レンズＬAの接合相手となるレンズＬBは正レンズとし、以下の条件式（７）を満足するのが好ましい。
｜θhg1−θhg2｜≦０．２００  …（７）
ここで、
θhg1はレンズＬAの部分分散比（ｎh1−ｎg1）／（ｎF1−ｎC1）、
θhg2はレンズＬBの部分分散比（ｎh2−ｎg2）／（ｎF2−ｎC2）である。
【００６３】
条件式（７）を満足すると、二次スペクトル（色収差）に対する補正効果が大きくなる。その結果、撮像で得た画像において、色フレア、色にじみを軽減できるこのことは、望遠端側の画像全体で顕著にあらわれる。
【００６４】
また、条件式（７）に代えて、条件式（７’） を満足するのがより望ましい。
｜θhg1−θhg2｜≦０．１８０  …（７’）
さらに、条件式（７）に代えて、条件式（７”） を満足すると最も良い。
｜θhg1−θhg2｜≦０．１６０  …（７”）
【００６５】
なお、接合レンズが３枚以上のレンズで構成されている場合、正のレンズ群と異符号の屈折力を有するレンズ、すなわち、負レンズ要素のうちβ1の値が最も小さいレンズをＬAとするのが好ましい。また、正のレンズ群と同符号の屈折力を有するレンズ、すなわち正レンズのうちβ2の値が最も大きいレンズをＬBとする。
【００６６】
ここで、本実施形態の結像光学系をズームレンズに限定して適用することを考える。単焦点レンズ系の場合には、１つの焦点距離状態に対してのみフォーカス範囲で色収差が崩れないように補正されていればよいが、ズームレンズの場合には、焦点距離が変化する範囲で色収差が崩れないようにしなくてはならない。そのために必要なことは、レンズ群ごとに色収差補正が完結していなくてはならない。
【００６７】
焦点距離の変化の範囲が小さければその完結度は低くてもよい。よって、焦点距離の変化の範囲が小さい場合、レンズ群数が少ないズーム解（具体的なズーム光学系の構成）は数多く存在する。一方、焦点距離の変化の範囲が大きければ（高倍率ズームレンズの場合）その完結度は高くなくてはならない。本実施形態の結像光学系では、高倍率ズームの構成として、開口絞りよりも物体側に少なくとも正のレンズ群を有するようにした。なお、この正のレンズ群は最も物体側に配置するのが好ましい。更に、本実施形態の結像光学系は、全体として４つ乃至５つのレンズ群からなり、変倍時に、光軸上における相対的間隔が各々のレンズ群で変化する構成とした。
【００６８】
そして、条件式（１）、（２）、（３）を満足するレンズＬAを含むことで、前記完結度を高め、ズーム全域（焦点距離の変化の範囲全域）における色収差の変動を小さくしている。通常の高倍率ズームレンズは、条件式（３）式のみは満足している。このため、Ｃ線とＦ線の色消しはよく行われている。しかしながら、特に条件式（１）を満足していない。このため、ｇ線やｈ線の変倍による色収差の発生が著しく、画像の鮮鋭度を損ねたり紫の色にじみやフレアが発生しやすい状況にある。
【００６９】
特に、正のレンズ群が最も物体側に配置された光学系では、軸上色収差、および倍率色収差の分散特性に関する敏感度が望遠端側で高い。このため、条件式（１）を満足することでＣ線、Ｆ線だけではなく、ｇ線やｈ線の変倍による収差の発生を抑制できる。特に、ズーム光学系が高倍率であるほど、その補正効果は著しくあらわれる。
【００７０】
また、通常、高倍率ズームには開口絞りより物体側に、前記正のレンズ群と負のレンズ群も配置されている。この正のレンズ群と負のレンズ群は、変倍時に、相対的間隔が変化する。また、負のレンズ群は、多くの場合が正のレンズ群の像側に配置されて変倍をつかさどっている。この負のレンズ群については、広角端側における倍率色収差の分散特性関する敏感度が高い。このため、広角であるほどその補正効果は著しい。従って、広角側の画角が大きい高倍率ズームレンズでは、前記負レンズ群についても同様な条件式（８）、（９）、（１０）を満たすレンズを導入したほうがよい。
【００７１】
そこで、本実施形態の結像光学系では、
横軸をνd3、及び縦軸をθgF3とする直交座標系において、
θgF3＝α3×νd3＋βgF3（但し、α3＝−０．００２６４）
で表される直線を設定したときに、以下の条件式（８）の範囲の下限値であるときの直線、及び上限値であるときの直線で定まる領域と、
横軸をνd3、及び縦軸をｎd3とする直交座標系において、
ｎd3＝ａ3×νd3＋ｂ3（但し、ａ3＝−０．０２６７）
で表される直線を設定したときに、以下の条件式（９）の範囲の下限値であるときの直線、及び上限値であるときの直線で定まる領域と、
以下の条件式（１０）で定まる領域との３つの領域に、負のレンズ群を構成する少なくとも一つのレンズＬCのθgF3及びｎd3及びνd3が含まれることが好ましい。
０．６０５０＜βgF3＜０．７１５０          …（８）
２．０＜ｂ3＜２．４（但し、ｎd3＞１．３）  …（９）
１０＜νd3＜２８                           …（１０）  
ここで、
θgF3はレンズＬCの部分分散比（ｎg3−ｎF3）／（ｎF3−ｎC3）、
νd3はレンズＬCのアッベ数（ｎd3−1）／（ｎF3−ｎC3）、
ｎd3、ｎC3、ｎF3、ｎg3は各々レンズＬCのｄ線、Ｃ線、Ｆ線、ｇ線の屈折率を表す。
【００７２】
条件式（８）はレンズＬCの硝材の部分分散比θgFに関するものである。その範囲を外れる硝材をレンズ要素ＬCに用いた場合、広角側における二次スペクトルによる倍率色収差、つまりＦ線とＣ線で色消しをしたときのg線の倍率色収差補正が十分でなくなる。そのため、特に広角側の撮像で得た画像において、画像周辺部の鮮鋭さを確保しづらい。
【００７３】
条件式（９）はレンズＬCの硝材の屈折率に関するものである。その上限値を上回る硝材を用いた場合、レンズＬCを用いたレンズ群としてのペッツバール和が大きくなりやすい。そのため、ズームレンズ全体としての像面湾曲量の補正がしづらい。一方、条件式（９）の下限値を下回る硝材を用いた場合、レンズＬCを用いたレンズ群としての球面収差が大きくなりやすく、ズームレンズ全体としての球面収差の補正がしづらくなる。
【００７４】
条件式（１０）はレンズＬCの硝材のアッベ数に関するものである。その上限値を上回る硝材を用いた場合、そもそもＦ線とＣ線との色消し自体が困難となり好ましくない。下限値を下回る硝材を用いた場合、Ｆ線とＣ線との色消しが出来たとしても、ザイデルの５収差に対する補正効果が少なくなる。
【００７５】
なお、条件式（８）に代えて、次の条件式（８’）を満足すると、より好ましい。
０．６０５０＜βgF3＜０．６９５０  …（８’）
さらに、条件式（８）に代えて、次の条件式（８”）を満足すると、より一層好ましい。
０．６２５０＜βgF3＜０．６９０３  …（８”）
さらに、条件式（８）に代えて、次の条件式（８”’）を満足すると最もよい。
０．６２５０＜βgF3≦０．６８２０  …（８”’）
【００７６】
なお、条件式（９）に代えて、次の条件式（９’）を満足すると、より好ましい。
２．０５＜ｂ3＜２．３４（但し、ｎd3＞１．３）  …（９’）
さらに、条件式（９）に代えて、次の条件式（９”）を満足すると、より一層好ましい。
２．１０＜ｂ3＜２．２７（但し、ｎd3＞１．３）  …（９”）
【００７７】
なお、条件式（１０）に代えて、次の条件式（１０’）を満足すると、より好ましい。
１２．５＜νd3＜２５．０  …（１０’）
さらに、条件式（１０）に代えて、次の条件式（１０”）を満足すると、より一層好ましい。
１４．８＜νd3＜２３．０  …（１０”）
さらに、条件式（１０）に代えて、次の条件式（１０”’）を満足すると最もよい。
１４．８＜νd3＜２２．５  …（１０”’）
【００７８】
特に、広角端側の画角が大きい高倍率ズームレンズでは、負レンズ群についても条件式（８）、（９）、（１０）を満たすレンズを導入したほうがよい。これらの条件式を満足すると、広角端側における倍率色収差を良好に補正できる。このことは、広角であるほどその補正効果が著しくあらわれる。
【００７９】
また、本実施形態の結像光学系では、前記直交座標とは別の、横軸をνd3、及び縦軸をθhg3とする直交座標系において、
θhg3＝αhg3×νd3＋βhg3（但し、αhg3＝−０．００３８８）
で表される直線を設定したときに、以下の条件式（１１）の範囲の下限値であるときの直線、及び上限値であるときの直線で定まる領域と、
横軸をνd3、及び縦軸をｎd3とする直交座標系において、
ｎd3＝ａ3×νd3＋ｂ3  （但し、ａ3＝−０．０２６７）
で表される直線を設定したときに、以下の条件式（９）の範囲の下限値であるときの直線、及び上限値であるときの直線で定まる領域と、
以下の条件式（１０）で定まる領域との３つの領域に、レンズＬCのθhg3及びｎd3及びνd3が含まれるようにするとなおよい。
０．５１００＜βhg3＜０．６７５０  …（１１）
２．０＜ｂ3＜２．４（但し、ｎd3＞１．３）  …（９）
１０＜νd3＜３５  …（１０）  
ここで、
θhg3はレンズＬCの部分分散比（ｎh3−ｎg3）／（ｎF3−ｎC3）、
ｎh3はレンズＬCのｈ線の屈折率を表す。
【００８０】
条件式（１１）は硝材の部分分散比θhg3に関するものである。その範囲を外れる硝材をレンズＬCに用いた場合、広角端側における二次スペクトルによる倍率色収差、つまりＦ線とＣ線で色消しをしたときのｈ線の倍率色収差補正が十分でなくなる。そのため、特に広角端側の撮像で得た画像において、画像周辺部に紫の色フレア、色にじみが発生しやすい。
【００８１】
なお、条件式（１１）に代えて、次の条件式（１１’）を満足すると、より好ましい。
０．５４００＜βhg1＜０．６７５０  …（１１’）
さらに、条件式（１１）に代えて、次の条件式（１１”）を満足すると、より一層好ましい。
０．５７００＜βhg1＜０．６７５０  …（１１”）
さらに、条件式（１１）に代えて、次の条件式（１１”’）を満足すると最もよい。
０．５７００＜βhg1≦０．６６００  …（１１”’）
【００８２】
また、レンズＬCは、接合レンズを構成するレンズに用いることが好ましい。このようにすれば、接合の界面（接合面）における色収差（Ｃ線とＦ線の色収差や二次スペクトルなど分散特性に起因する色収差、および、色の球面収差、色コマ、倍率色収差など開口比や像高に関する３次以上の高次収差成分）の補正効果が増大する。特に、前記分散特性に起因する色収差については、条件式（８）、（９）、（１０）と相まってその補正効果が顕著にあらわれる。
【００８３】
また、レンズＬCは、その接合側の面を非球面とするのが良い。このようにすれば、前記色収差について開口比や像高に関する３次以上の高次収差成分の補正効果が顕著にあらわれる。
【００８４】
ところで、結像光学系の絞りよりも物体側に配置された負レンズ群では、まず一次の色収差を補正するために、低分散の負レンズ要素と高分散の正レンズ要素をいくつかずつ組み合わせて構成されるのが好ましい。また、前記レンズＬCの硝材はそのアッベ数に関する式（１０）を満たすのが好ましい。よって、レンズＬCは正レンズとするのが好ましい。このようにして、負レンズ群のＣ線とＦ線の色消しを行っておくと光学系全体で発生する一次の色収差を補正しやすくなる。なお、上記のように、正レンズとは近軸焦点距離が正の値のレンズ、負レンズとは近軸焦点距離が負の値のレンズをさす。
【００８５】
そして、レンズＬCの接合相手となるレンズＬDは負レンズとし、以下の条件式（１２）を満足するのが好ましい。
νd3−νd4≦−１５  …（１２）
ここで、
νd3はレンズＬCのアッベ数（ｎd3−１）／（ｎF3−ｎC3）、
νd4はレンズＬDのアッベ数（ｎd4−１）／（ｎF4−ｎC4である。
【００８６】
この場合、レンズＬCとレンズＬDという異符号の屈折力の組み合わせとなるので、色収差の補正が良好に行える。特に、この組み合わせで条件式（１２）を満足すると、軸上色収差と倍率色収差についてＣ線とＦ線の色消しがしやすい。
【００８７】
また、上記条件式（１２）に代えて、条件式（１２’） を満足するのがより望ましい。
νd3−νd4≦−２１  …（１２’）
さらに、上記条件式（１２）に代えて、条件式（１２”） を満足すると最も良い。
νd3−νd4≦−２６  …（１２”）
【００８８】
一方、部分分散比θgF、θhgは、高分散の光学材料の方が低分散の光学材料に比べて一般的に大きい。そのために、軸上色収差をＣ線とＦ線にて補正すると、ｇ線やｈ線の軸上色収差は正の値をとる。つまり、２次スペクトルが発生する。一方、倍率色収差はＣ線とＦ線にて補正すると、ｇ線やｈ線の倍率色収差も正の値をとる。従って、レンズＬC（高分散正レンズ）とレンズＬD（低分散負レンズ）の部分分散比θgF、θhgの差を極力小さくして、ｇ線やｈ線の色消しを行っておくのが良い。このようにすれば、結果的に光学系全体で発生する色収差を補正しやすくなる。
【００８９】
具体的には、レンズＬCの接合相手となるレンズＬDは負レンズとし、θgFについて以下の条件式（１３）を満足するのが好ましい。
｜θgF3−θgF4｜≦０．１００  …（１３）
ここで、
θgF3はレンズＬCの部分分散比（ｎg3−ｎF3）／（ｎF3−ｎC3）、
θgF4はレンズＬDの部分分散比（ｎg4−ｎF4）／（ｎF4−ｎC4）である。
【００９０】
条件式（１３）を満足すると、二次スペクトル（色収差）に対する補正効果が大きくなる。その結果、撮像で得た画像において鮮鋭性が増す。このことは、特に、広角端側の画像の画面周辺で顕著にあらわれる。
【００９１】
また、上記条件式（１３）に代えて、条件式（１３’）を満足するのがより望ましい。
｜θgF3−θgF4｜≦０．０９０  …（１３’）
さらに、上記条件式（１３）に代えて、、条件式（１３”）を満足すると最も良い。
｜θgF3−θgF4｜≦０．０８５  …（１３”）
【００９２】
また、レンズＬCの接合相手となるレンズＬDは負レンズとし、以下の条件式（１４）を満足するのが好ましい。
｜θhg3−θhg4｜≦０．２００  …（１４）
ここで、
θhg3はレンズＬCの部分分散比（ｎh3−ｎg3）／（ｎF3−ｎC3）、
θhg4はレンズＬDの部分分散比（ｎh4−ｎg4）／（ｎF4−ｎC4）である。
【００９３】
条件式（１４）を満足すると、二次スペクトル（色収差）に対する補正効果が大きくなる。その結果、撮像で得た画像において、色フレア、色にじみを軽減できる。このことは、特に、広角端側の画像の画面周辺で顕著にあらわれる。
【００９４】
また、条件式（１４）に代えて、条件式（１４’） を満足するのがより望ましい。
｜θhg3−θhg4｜≦０．１６０  …（１４’）
さらに、条件式（１４）に代えて、条件式（１４”）を満足すると最も良い。
｜θhg3−θhg4｜≦０．１３０  …（１４”）
【００９５】
なお、接合レンズが３枚以上のレンズで構成されている場合、負のレンズ群と異符号の屈折力を有するレンズ、すなわち正レンズのうちβgF3の値が最も小さいレンズをレンズＬCとするのが好ましい。また、負のレンズ群と同符号の屈折力を有するレンズ、すなわち負レンズのうちβgF4の値が最も大きいレンズＬDとするのが好ましい。
【００９６】
ここで、硝材とは、ガラス、樹脂等のレンズ材料のことをいう。また、接合レンズには、これらの硝材から適宜選択されたレンズが用いられる。
【００９７】
また、特に開口絞りよりも物体側の正のレンズ群に含まれる接合レンズは、光軸中心厚の薄い第一のレンズと第二のレンズとを有しているのが好ましい。そして、第一のレンズが条件式（１）、（２）、及び（３）、あるいは（４）、（２）、及び（３）を満足することが好ましい。このようにすると、各収差の更なる補正効果の向上や、レンズ群の更なる薄型化が期待できる。さらに、開口絞りよりも物体側の負のレンズ群に含まれる接合レンズも光軸中心厚の薄い第一のレンズと第二のレンズとを有しているのが好ましい。そして、第一のレンズが条件式（８）、（９）、及び（１０）、あるいは（１１）、（９）、及び（１０）を満足することが好ましい。このようにすると、よりいっそうの各収差の補正効果の向上や、レンズ群の薄型化が期待できる。
【００９８】
また、接合レンズは、複合レンズであることが望ましい。複合レンズは、第二のレンズ表面に第一のレンズとして樹脂を密着硬化させることで実現できる。接合レンズを複合レンズにすることで、製造精度を向上させることができる。複合レンズ製造方法としては成形がある。成形では、第二のレンズに対して第一のレンズ材料（例えばエネルギー硬化型透明樹脂など）を接触させて、第一のレンズ材料を第二のレンズの一方の面上にて直接成形させる方法がある。この方法は、レンズ要素を薄くするのには極めて有効な方法である。なお、エネルギー硬化型透明樹脂の例として、紫外線硬化型樹脂がある。また、第二のレンズには、第一のレンズを成形する前にあらかじめコーティングなど表面処理がなされていてもかまわない。また、本複合レンズの実現方法によれば、第二のレンズの少なくとも接合側の面をあらかじめ非球面にて構成することで、これまで困難であった接合面の非球面化が容易に行える。
【００９９】
また、接合レンズを複合レンズにする場合、第二のレンズ表面に第一のレンズとしてガラスを密着成形させてもよい。ガラスは樹脂に比べて、耐光性、耐薬品性等の耐性の面で有利である。この場合、第一のレンズ材料の特性としては、第二のレンズ材料よりも融点、転移点が低いことが必要である。複合レンズ製造方法としては成形がある。この方法は、レンズ要素を薄くするのには極めて有効な方法である。なお、第二のレンズにはあらかじめコーティングなど表面処理がなされていてもかまわない。また、本複合レンズの実現方法によれば、第二のレンズの少なくとも接合側の面をあらかじめ非球面にて構成することで、これまで困難であった接合面の非球面化が容易に行える。
【０１００】
また、結像光学系内にプリズムを配置するのが好ましい。このプリズムは、光学系の光路を屈曲するために用いられる。特に結像光学系がズームレンズの場合、光学系の奥行き寸法を薄くする（全長を短くする）ことができる。このプリズムは、特に物体側から最初の正レンズ群、もしくは負レンズ群に配置することが好ましい。
【０１０１】
最後に、本実施形態の結像光学系について述べる。
本実施形態の結像光学系のうち、望遠系単焦点レンズについては物体側から順に、正のレンズ群、開口絞り、負のレンズ群の構成をとるのがよい。また、この正のレンズ群は負の屈折力のレンズＬAを有し、負の屈折力のレンズＬAは条件式（１）（２）（３）を満足する。なお、レンズＬAは、（１）に代わって（１’）もしくは（１”）、また（２）に代わって（２’）もしくは（２”）、また（３）に代わって（３’）もしくは（３”）を満たすレンズであっても良い。
【０１０２】
また、負の屈折力のレンズＬAは正の屈折力のレンズＬBと接合されていてもよい。また、この接合レンズは別のレンズと接合して３枚以上からなる接合レンズとしてもよい。また、この接合レンズ以外にレンズ成分を１つまたは２つ有していてもよい。一方、負のレンズ群は正レンズと負レンズを１枚ずつ含んでいる。
【０１０３】
本実施形態の結像光学系は、ズームレンズに用いることができる。以下、ズームレンズを例に説明を行う。本実施形態のズームレンズは、開口絞りよりも物体側に少なくとも正のレンズ群を有し、４つ乃至５つのレンズ群からなる。また、変倍時に、光軸上における相対的間隔が各々のレンズ群で変化する。このような結像光学系の基本構成（屈折力配置）のパターンとしては、以下の４つがある。
（Ａ１）  正・負・(S)・正・正
（Ａ２）  正・負・(S)・正・負・正
（Ａ３）  正・負・(S)・正・正・正
（Ａ４）  正・負・(S)・正・正・負
なお、(S)は開口絞りを示している。開口絞りは、レンズ群とは独立である場合もあれば、そうでない場合もある。また、レンズ群の内部にあってもかまわない。
【０１０４】
本実施形態のズームレンズは、（Ａ１）  正・負・(S)・正・正の屈折力配置を基本構成としている。（Ａ２）、（Ａ３）、（Ａ４）は（Ａ１）のズームレンズを変形したものとみなすことができる。つまり、
（Ａ２）は、（Ａ１）の結像光学系にある２つの正レンズ群の間に、負のレンズ群を加えたものである。
（Ａ３）は、（Ａ１）の結像光学系にある２つの正レンズ群の間またはその像側に、正のレンズ群を加えたものである。
（Ａ４）は、（Ａ１）の結像光学系をもとに、その像側に負のレンズ群を加えたものである。
【０１０５】
上記（Ａ１）、（Ａ２）、（Ａ３）及び（Ａ４）の各パターンでは、最も物体側に正のレンズ群が配置されている。この正のレンズ群は負の屈折力のレンズＬAを有し、前記負の屈折力のレンズＬAは条件式（１）（２）（３）を満足する。なお、レンズＬAは、（１）に代わって（１’）もしくは（１”）、また（２）に代わって（２’）もしくは（２”）、また（３）に代わって（３’）もしくは（３”）を満たすレンズであっても良い。また、負の屈折力のレンズＬAは正の屈折力のレンズＬBと接合されていてもよい。また、この接合レンズは別のレンズと接合して３枚以上からなる接合レンズとしてもよい。
【０１０６】
正のレンズ群はズームレンズの最も物体側に配置され、接合レンズの他に、１つ又は２つのレンズ成分を備えていても良い。また、正のレンズ群は、プリズムを備えていても良い。プリズムを備えている場合、物体側から、１つのレンズ成分、プリズム、接合レンズ、あるいは、物体側から、１つのレンズ成分、プリズム、接合レンズ、１つのレンズ成分、あるいは、物体側から、１つのレンズ成分、プリズム、１つのレンズ成分、接合レンズの順に、これらが配置されているのが好ましい。
【０１０７】
開口絞りよりも物体側の負のレンズ群は最も物体側に配置された正のレンズ群の像側に配置されており、条件式（８）（９）（１０）、あるいは（８）に代わって（８’）もしくは（８”）、また（９）に代わって（９’）もしくは（９”）、また（１０）に代わって（１０’）もしくは（１０”）を満たす正の屈折力のレンズＬCを有しても良い。また、正の屈折力のレンズＬCは負の屈折力のレンズＬDと接合されていてもよい。また、正レンズ、負レンズのどちらが物体側に配置されていてもよい。また、この接合レンズは別のレンズと接合して３枚以上からなる接合レンズとしてもよい。また、負のレンズ群は全体として２つ又は３つ又は４つのレンズ成分を備えていてもよい。
【０１０８】
最初の負のレンズ群以降には、正のレンズ群を２つ又は３つ含んでおり、少なくとも１つが単レンズと接合レンズ成分よりなる正のレンズ群である。それは、２番目又は３番目の正のレンズ群である。
【０１０９】
また、このズームレンズでは、負のレンズ群以降に存在する２番目と３番目の正のレンズ群の間に全長を短縮しやすいように、負の屈折力を配置してもよい。その場合、１つのレンズ成分でよい。そして、正レンズと負レンズの接合レンズ成分でよい。
【０１１０】
また、このズームレンズでは、負のレンズ群以降に存在する２番目と３番目の正のレンズ群の像側に全長を短縮しやすいように、負の屈折力を配置してもよい。その場合、１つ又は２つのレンズ成分でよい。そして、いずれかのレンズ成分が正レンズと負レンズの接合レンズ成分であってもよい。
【０１１１】
また、このズームレンズでは、負のレンズ群以降に存在する２番目と３番目の正のレンズ群の像側に収差補正がしやすいように、正の屈折力を配置してもよい。その場合、１つのレンズ成分でよい。そして、それは単レンズでもよい。
【０１１２】
ところで、本実施形態のズームレンズでは、正のレンズ群と、負のレンズ群と、開口絞りとを有する構成において、正のレンズ群を開口絞りより物体側に配置している。そして、この正のレンズ群が負の屈折力のレンズＬAを有し、この負の屈折力のレンズＬAが条件式（１）、（２）、（３）を満足する。このようにすることで、軸上色収差および倍率色収差を良好に補正している。特に、望遠端側における色収差の補正が良好に行える。
【０１１３】
さらに、負のレンズ群も開口絞りより物体側に配置している。そして、この負のレンズ群が正の屈折力のレンズＬCを有し、この正の屈折力のレンズＬCが条件式（８）、（９）、（１０）を満足する。このようにすることで、軸上色収差および倍率色収差について最良の補正状態が実現できる。また、広角端側において多少残存する倍率色収差を良好に補正できる。これについては、別の手段によって改善することもできる。一例としては、画像処理によって収差を改善する手段がある。
【０１１４】
また、本実施形態の結像光学系は電子撮像装置に用いることができる。この場合、電子撮像装置は、上述の結像光学系と、電子撮像素子と、画像処理手段を有して構成される。画像処理手段で用いられる画像データは、結像光学系を通じて結像された像を、電子撮像素子で撮像することによって得られる。画像処理手段は、画像データを加工して、像の形状を変化させた画像データとして出力する。
【０１１５】
このような電子撮像装置において、上述の結像光学系はズームレンズであり、このズームレンズは、無限遠物点合焦時に以下の条件式（１１）を満足するのが好ましい。
０．７＜ｙ07／（ｆｗ・ｔａｎω07w）＜０．９６    …（１１）
ここで、ｙ07は電子撮像素子の有効撮像面内（撮像可能な面内）で中心から最も遠い点までの距離（最大像高）をｙ10としたとき、ｙ07＝０．７ｙ10で表され、ω07wは広角端における撮像面上の中心からｙ07の位置に結ぶ像点に対応する物点方向の光軸に対する角度、ｆｗは広角端における結像光学系（ズームレンズ）の全系の焦点距離である。
【０１１６】
上記のように、画像処理ユニット（画像処理手段）は、画像データを加工して、形状を変化させた画像データとして出力することが可能になっている。このような電子撮像装置を用いて、被写体の像を撮像する。撮像によって得られた画像データは、画像処理ユニットによって色分解され、色ごとの画像データになる。続いて、各々の画像データごとに、形状（被写体の像の大きさ）を変化させた後、これらの画像データを合成する。そのことにより、倍率色収差による画像周辺部の鮮鋭度劣化や、色にじみ発生を防ぐことが出来る。
なお、この方法は、特に色分解用モザイクフィルターを設けた電子撮像素子を有する電子撮像装置に対して有効である。
【０１１７】
また、電子撮像装置が複数の（色ごとに）電子撮像素子を有する場合は、得られた画像データに対して色分解を行う必要はなくなる。
ここで、色分解では、通常はＢ（blue,およそ400〜500ｎｍ）、Ｇ（green,およそ500〜600ｎｍ）、Ｒ（red,およそ600〜700ｎｍ）の３色に分解される。そのため、各波長域（バンド）の範囲内において色収差が発生することは好ましくない。特に短波長領域にあたるＢ領域では、２次スペクトルによる色収差の発生は好ましくない。従って、Ｂ領域での２次スペクトルによる倍率色収差の残存量が多い場合には、光学系による収差補正と画像処理による補正の併用が好ましい。
【０１１８】
本実施形態の結像光学系は、以上述べた条件式や構成上の特徴を、個々に、満足あるいは備えることにより、結像光学系の小型化・薄型化をともに達成することが可能となると共に、良好な収差補正が実現できる。また、本実施形態の結像光学系は、上記条件式や構成上の特徴を、組み合わせて備える（満足する）こともできる。この場合、結像光学系のいっそうの小型化・薄型化、あるいは、より良好な収差補正を達成できる。また、本実施形態の結像光学系を有する電子撮像装置は、このような結像光学系を備えることにより、撮像された画像において、画像の鮮鋭化、色にじみの防止が図れる。
【０１１９】
次に、本発明の実施例１にかかるズームレンズについて説明する。図１は本発明の実施例１にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２０】
図２は実施例１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１２１】
実施例１のズームレンズは、図１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。なお、以下全ての実施例において、レンズ断面図中、ＬＰＦはローパスフィルター、ＣＧはカバーガラス、Ｉは電子撮像素子の撮像面を示している。
【０１２２】
第１レンズ群Ｇ１は、物体側に凸面を向けた正メニスカスレンズＬ１と、物体側に凸面を向けた負メニスカスレンズＬ２と両凸正レンズＬ３との接合レンズで構成されており、全体で正の屈折力を有している。ここで、物体側に凸面を向けた負メニスカスレンズＬ２がレンズＬAで、両凸正レンズＬ３がレンズＬBである。
【０１２３】
第２レンズ群Ｇ２は、物体側に凸面を向けた負メニスカスレンズＬ４と、両凸正レンズＬ５と両凹負レンズＬ６との接合レンズで構成されており、全体で負の屈折力を有している。
【０１２４】
第３レンズ群Ｇ３は、両凸正レンズＬ７と、両凸正レンズＬ８と両凹負レンズＬ９の接合レンズで構成されており、全体で正の屈折力を有している。
【０１２５】
第４レンズ群Ｇ４は、物体側に凸面を向けた正メニスカスレンズＬ１０で構成されており、全体で正の屈折力を有している。
【０１２６】
広角端から望遠端へと変倍する際には、第１レンズ群Ｇ１は物体側へ移動し、第２レンズ群Ｇ２は像側へ移動し、開口絞りＳは物体側へ移動し、第３レンズ群Ｇ３は物体側へ移動し、第４レンズ群Ｇ４は中間位置まで物体側へ移動し、中間位置から像側へ移動する。
【０１２７】
非球面は、第１レンズ群Ｇ１中の物体側に凸面を向けた負メニスカスレンズＬ２の両面、第２レンズ群Ｇ２中の物体側に凸面を向けた負メニスカスレンズＬ４の物体側の面と両凹負レンズＬ６の像側の面、第３レンズ群Ｇ３中の両凸正レンズＬ７の両面、第４レンズ群Ｇ４中の物体側に凸面を向けた正メニスカスレンズＬ１０の両面の合計８面に設けられている。
【０１２８】
次に、本発明の実施例２にかかるズームレンズについて説明する。図３は本発明の実施例２にかかるズームレンズの無限遠物点合焦時の光学構成を示す光軸に沿う断面図であり、（ａ）は広角端、（ｂ）は中間焦点距離状態、（ｃ）は望遠端での断面図である。
【０１２９】
図４は実施例２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１３０】
実施例２のズームレンズは、図３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０１３１】
第１レンズ群Ｇ１は、物体側に凸面を向けた負メニスカスレンズＬ１と、プリズムＬ２と、両凸正レンズＬ３と像側に凸面を向けた負メニスカスレンズＬ４との接合レンズで構成されており、全体で正の屈折力を有している。ここで、像側に凸面を向けた負メニスカスレンズＬ４がレンズＬAで、両凸正レンズＬ３がレンズＬBである。
【０１３２】
第２レンズ群Ｇ２は、物体側に凸面を向けた負メニスカスレンズＬ５と、両凹負レンズＬ６と両凸正レンズＬ７との接合レンズで構成されており、全体で負の屈折力を有している。
【０１３３】
第３レンズ群Ｇ３は、両凸正レンズＬ８と、両凸正レンズＬ９と両凹負レンズＬ１０の接合レンズで構成されており、全体で正の屈折力を有している。
【０１３４】
第４レンズ群Ｇ４は、物体側に凸面を向けた正メニスカスレンズＬ１１で構成されており、全体で正の屈折力を有している。
【０１３５】
第５レンズ群Ｇ５は、両凹負レンズＬ１２と両凸正レンズＬ１３との接合レンズで構成されており、全体で負の屈折力を有している。
【０１３６】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は中間位置まで物体側へ移動し、中間位置から像側へ移動し、第５レンズ群Ｇ５は固定である。
【０１３７】
非球面は、第１レンズ群Ｇ１中の両凸正レンズＬ３の両面と像側に凸面を向けた負メニスカスレンズＬ４の像側の面、第２レンズ群Ｇ２中の物体側に凸面を向けた負メニスカスレンズＬ５の像側の面、第３レンズ群Ｇ３中の両凸正レンズＬ８の両面、第４レンズ群Ｇ４中の物体側に凸面を向けた正メニスカスレンズＬ１１の物体側の面、第５レンズ群Ｇ５中の両凹負レンズＬ１２の物体側の面の合計８面に設けられている。
【０１３８】
次に、本発明の実施例３にかかるズームレンズについて説明する。図５は本発明の実施例３にかかるズームレンズの無限遠物点合焦時の光学構成を示す光軸に沿う断面図であり、（ａ）は広角端、（ｂ）は中間焦点距離状態、（ｃ）は望遠端での断面図である。
【０１３９】
図６は実施例３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１４０】
実施例３のズームレンズは、図５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０１４１】
第１レンズ群Ｇ１は、物体側に凸面を向けた負メニスカスレンズＬ１と、プリズムＬ２と、物体側に凸面を向けた負メスカスレンズＬ３と両凸正レンズＬ４との接合レンズで構成されており、全体で正の屈折力を有している。ここで、物体側に凸面を向けた負メニスカスレンズＬ３がレンズＬAで、両凸正レンズＬ４がレンズＬBである。
【０１４２】
第２レンズ群Ｇ２は、物体側に凸面を向けた負メニスカスレンズＬ５と、両凹負レンズＬ６と、両凹負レンズＬ７と物体側に凸面を向けた正メニスカスレンズＬ８との接合レンズで構成されており、全体で負の屈折力を有している。
【０１４３】
第３レンズ群Ｇ３は、両凸正レンズＬ９で構成されており、全体で正の屈折力を有している。
【０１４４】
第４レンズ群Ｇ４は、両凸正レンズＬ１０と像側に凸面を向けた負メニスカスレンズＬ１１で構成されており、全体で正の屈折力を有している。
【０１４５】
第５レンズ群Ｇ５は、両凹負レンズＬ１２と、両凸正レンズＬ１３とで構成されており、全体で負の屈折力を有している。
【０１４６】
広角端から望遠端へと変倍する際には、第１レンズ群Ｇ１は固定、第２レンズ群Ｇ２は像側へ移動し、開口絞りＳは固定、第３レンズ群Ｇ３は固定、第４レンズ群Ｇ４は物体側へ移動し、第５レンズ群Ｇ５は固定である。
【０１４７】
非球面は、第１レンズ群Ｇ１中の物体側に凸面を向けた負メスカスレンズＬ３の物体側の面、第３レンズ群Ｇ３中の両凸正レンズＬ９の物体側の面、第４レンズ群Ｇ４中の両凸正レンズＬ１０の物体側の面、第５レンズ群Ｇ５中の両凸正レンズＬ１３の物体側の面の合計４面に設けられている。
【０１４８】
次に、本発明の実施例４にかかるズームレンズについて説明する。図７は本発明の実施例４にかかるズームレンズの無限遠物点合焦時の光学構成を示す光軸に沿う断面図であり、（ａ）は広角端、（ｂ）は中間焦点距離状態、（ｃ）は望遠端での断面図である。
【０１４９】
図８は実施例４にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１５０】
実施例４のズームレンズは、図７に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０１５１】
第１レンズ群Ｇ１は、物体側に凸面を向けた負メニスカスレンズＬ１と、プリズムＬ２と、物体側に凸面を向けた負メスカスレンズＬ３と両凸正レンズＬ４との接合レンズと、両凸正レンズＬ５とで構成されており、全体で正の屈折力を有している。ここで、物体側に凸面を向けた負メニスカスレンズＬ３がレンズＬAで、両凸正レンズＬ４がレンズＬBである。
【０１５２】
第２レンズ群Ｇ２は、両凹負レンズＬ６と、両凹負レンズＬ７と物体側に凸面を向けた正メニスカスレンズＬ８との接合レンズで構成されており、全体で負の屈折力を有している。ここで、物体側に凸面を向けた正メニスカスレンズＬ８がレンズＬCで、両凹負レンズＬ７がレンズＬDである。
【０１５３】
第３レンズ群Ｇ３は、両凸正レンズＬ９と、両凸正レンズＬ１０と両凹負レンズＬ１１との接合レンズで構成されており、全体で正の屈折力を有している。
【０１５４】
第４レンズ群Ｇ４は、両凸正レンズＬ１２で構成されており、全体で正の屈折力を有している。
【０１５５】
第５レンズ群Ｇ５は、像側に凸面を向けた負メニスカスレンズＬ１３と像側に凸面を向けた正メニスカスレンズＬ１４との接合レンズで構成されており、全体で負の屈折力を有している。
【０１５６】
広角端から望遠端へと変倍する際には、第１レンズ群Ｇ１は固定、第２レンズ群Ｇ２は像側へ移動し、開口絞りＳは固定、第３レンズ群Ｇ３は物体側へ移動し、第４レンズ群Ｇ４は中間位置までわずかに物体側へ移動し、中間位置から像側に移動し、第５レンズ群Ｇ５は固定している。
【０１５７】
非球面は、第１レンズ群Ｇ１中の物体側に凸面を向けた負メスカスレンズＬ３の物体側の面と両凸正レンズＬ４の両面、第２レンズ群Ｇ２中の両凹負レンズＬ７の両面と物体側に凸面を向けた正メニスカスレンズＬ８の像側の面、第３レンズ群Ｇ３中の両凸正レンズＬ９の両面、第４レンズ群Ｇ４中の両凸正レンズＬ１２の物体側の面の合計９面に設けられている。
【０１５８】
次に、本発明の実施例５にかかるズームレンズについて説明する。図９は本発明の実施例５にかかるズームレンズの無限遠物点合焦時の光学構成を示す光軸に沿う断面図であり、（ａ）は広角端、（ｂ）は中間焦点距離状態、（ｃ）は望遠端での断面図である。
【０１５９】
図１０は実施例５にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１６０】
実施例５のズームレンズは、図９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４を有している。
【０１６１】
第１レンズ群Ｇ１は、物体側に凸面を向けた正メニスカスレンズＬ１と、物体側に凸面を向けた負メニスカスレンズＬ２と物体側に凸面を向けた正メニスカスレンズＬ３との接合レンズで構成されており、全体で正の屈折力を有している。ここで、物体側に凸面を向けた負メニスカスレンズＬ２がレンズＬAで、物体側に凸面を向けた正メニスカスレンズＬ３がレンズＬBである。
【０１６２】
第２レンズ群Ｇ２は、物体側に凸面を向けた負メニスカスレンズＬ４と、像側に凸面を向けた正メニスカスレンズＬ５と両凹負レンズＬ６との接合レンズで構成されており、全体で負の屈折力を有している。ここで、像側に凸面を向けた正メニスカスレンズＬ５がＬCで、両凹負レンズＬ６レンズＬDである。
【０１６３】
第３レンズ群Ｇ３は、両凸正レンズＬ７と、両凸正レンズＬ８と両凹負レンズＬ９との接合レンズで構成されており、全体で正の屈折力を有している。
【０１６４】
第４レンズ群Ｇ４は、物体側に凸面を向けた正メニスカスレンズＬ１０で構成されており、全体で正の屈折力を有している。
【０１６５】
広角端から望遠端へと変倍する際には、第１レンズ群Ｇ１は物体側へ移動し、第２レンズ群Ｇ２は像側へ移動し、中間位置から物体側へ移動し、開口絞りＳは物体側へ移動し、第３レンズ群Ｇ３は物体側へ移動し、第４レンズ群Ｇ４は中間位置まで物体側へ移動し、中間位置からほぼ固定である。
【０１６６】
非球面は、第１レンズ群Ｇ１中の物体側に凸面を向けた正メスカスレンズＬ３の物体側の面と、第２レンズ群Ｇ２中の物体側に凸面を向けた負メニスカスレンズＬ４の物体側の面と像側に凸面を向けた正メニスカスレンズＬ５の物体側の面と両凹負レンズＬ６の像側の面、第３レンズ群Ｇ３中の両凸正レンズＬ７の両面、第４レンズ群Ｇ４中の物体側に凸面を向けた正メニスカスレンズＬ１０の両面の合計８面に設けられている。
【０１６７】
次に、本発明の実施例６にかかるズームレンズについて説明する。図１１は本発明の実施例６にかかるズームレンズの無限遠物点合焦時の光学構成を示す光軸に沿う断面図であり、（ａ）は広角端、（ｂ）は中間焦点距離状態、（ｃ）は望遠端での断面図である。
【０１６８】
図１２は実施例６にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１６９】
実施例６のズームレンズは、図１１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、正屈折力の第５レンズ群Ｇ５を有している。
【０１７０】
第１レンズ群Ｇ１は、両凸正レンズＬ１と像側に凸面を向けた負メニスカスレンズＬ２との接合レンズで構成されており、全体で正の屈折力を有している。ここで、像側に凸面を向けた負メニスカスレンズＬ２がレンズＬAで、両凸正レンズＬ１がレンズＬBである。
【０１７１】
第２レンズ群Ｇ２は、物体側に凸面を向けた負メニスカスレンズＬ３と、プリズムＬ４と、両凹負レンズＬ５と物体側に凸面を向けた正メニスカスレンズＬ６との接合レンズで構成されており、全体で負の屈折力を有している。ここで、物体側に凸面を向けた正メニスカスレンズＬ６がレンズＬCで、両凹負レンズＬ５がレンズＬDである。
【０１７２】
第３レンズ群Ｇ３は、両凸正レンズＬ７と、物体側に凸面を向けた正メニスカスレンズＬ８と物体側に凸面を向けた負メニスカスレンズＬ９との接合レンズで構成されており、全体で正の屈折力を有している。
【０１７３】
第４レンズ群Ｇ４は、物体側に凸面を向けた正メニスカスレンズＬ１０で構成されており、全体で正の屈折力を有している。
【０１７４】
第５レンズ群Ｇ５は、物体側に凸面を向けた正メニスカスレンズＬ１１で構成されており、全体で正の屈折力を有している。
【０１７５】
広角端から望遠端へと変倍する際には、第１レンズ群Ｇ１は物体側へ移動し、第２レンズ群Ｇ２は固定、開口絞りＳは第３レンズ群Ｇ３と共に物体側へ移動し、第４レンズ群Ｇ４は中間位置までわずかに像側に移動し、中間位置から物体側へ移動し、第５レンズ群Ｇ５は固定である。
【０１７６】
非球面は、第１レンズ群Ｇ１中の像側に凸面を向けた負メニスカスレンズＬ２の像側の面と、第２レンズ群Ｇ２中の両凹負レンズＬ５の物体側の面と物体側に凸面を向けた正メニスカスレンズＬ６の像側の面、第３レンズ群Ｇ３中の両凸正レンズＬ７の物体側の面、第５レンズ群Ｇ５中の物体側に凸面を向けた正メニスカスレンズＬ１１の像側の面の合計５面に設けられている。
【０１７７】
次に、本発明の実施例７にかかるズームレンズについて説明する。図１３は本発明の実施例７にかかるズームレンズの無限遠物点合焦時の光学構成を示す光軸に沿う断面図であり、（ａ）は広角端、（ｂ）は中間焦点距離状態、（ｃ）は望遠端での断面図である。
【０１７８】
図１４は実施例７にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１７９】
実施例７のズームレンズは、図１３に示すように、物体側より順に、正屈折力の第１レンズ群Ｇ１と、負屈折力の第２レンズ群Ｇ２と、開口絞りＳと、正屈折力の第３レンズ群Ｇ３と、フレア絞りＦＳと、正屈折力の第４レンズ群Ｇ４を有している。なお、第１５面はフレア絞りである。このフレア絞りは、光学系中に配置してもしなくても良い。
【０１８０】
第１レンズ群Ｇ１は、両凸正レンズＬ１と像側に凸面を向けた負メニスカスレンズＬ２との接合レンズで構成されており、全体で正の屈折力を有している。ここで、像側に凸面を向けた負メニスカスレンズＬ２がレンズＬAで、両凸正レンズＬ１がレンズＬBである。
【０１８１】
第２レンズ群Ｇ２は、物体側に凸面を向けた負メニスカスレンズＬ３と、像側に凸面を向けた正メニスカスレンズＬ４と両凹負レンズＬ５との接合レンズで構成されており、全体で負の屈折力を有している。ここで、像側に凸面を向けた正メニスカスレンズＬ４がレンズＬCで、両凹負レンズＬ５がレンズＬDである。
【０１８２】
第３レンズ群Ｇ３は、像側に凸面を向けた正メニスカスレンズＬ６と、物体側に凸面を向けた正メニスカスレンズＬ７と物体側に凸面を向けた負メニスカスレンズＬ８との接合レンズで構成されており、全体で正の屈折力を有している。
【０１８３】
第４レンズ群Ｇ４は、物体側に凸面を向けた正メニスカスレンズＬ９で構成されており、全体で正の屈折力を有している。
【０１８４】
広角端から望遠端へと変倍する際には、第１レンズ群Ｇ１は物体側へ移動し、第２レンズ群Ｇ２は中間位置まで像側へ移動し、中間位置からわずかに物体側に移動し、開口絞りＳは物体側へ移動し、第３レンズ群Ｇ３は物体側へ移動し、第４レンズ群Ｇ４は中間位置まで物体側へ移動し、中間位置から像側へ移動する。
【０１８５】
非球面は、第１レンズ群Ｇ１中の両凸正レンズＬ１の両面と像側に凸面を向けた負メニスカスレンズＬ２の像側の面と、第２レンズ群Ｇ２中の像側に凸面を向けた正メニスカスレンズＬ４の両面と両凹負レンズＬ５の像側の面、第３レンズ群Ｇ３中の像側に凸面を向けた正メニスカスレンズＬ６の両面、第４レンズ群Ｇ４中の物体側に凸面を向けた正メニスカスレンズＬ９の物体側の面の合計９面に設けられている。
【０１８６】
次に、本発明の実施例８にかかるレンズについて説明する。図１５は本発明の実施例８にかかるレンズの無限遠物点合焦時の光学構成を示す光軸に沿う断面図である。
【０１８７】
図１６は実施例８にかかるレンズの無限遠物点合焦時における球面収差（ＳＡ）、非点収差（ＡＳ）、歪曲収差（ＤＴ）、倍率色収差（ＣＣ）を示す図である。
【０１８８】
実施例８のレンズは、図１５に示すように、物体側より順に、両凸正レンズＬ１と像側に凸面を向けた負メニスカスレンズＬ２と両凹負レンズＬ３との接合レンズと、物体側に凸面を向けた正メニスカスレンズＬ４と、物体側に凸面を向けた正メニスカスレンズＬ５と、物体側に凸面を向けた正メニスカスレンズＬ６と、両凹負レンズＬ７とで構成されている。ここで、像側に凸面を向けた負メニスカスレンズＬ２がレンズＬAで、両凸正レンズＬ１がレンズＬBである。
【０１８９】
次に、本発明の実施例９にかかるズームレンズについて説明する。図１７は本発明の実施例９にかかるズームレンズの無限遠物点合焦時の光学構成を示す光軸に沿う断面図であり、（ａ）は広角端、（ｂ）は中間焦点距離状態、（ｃ）は望遠端での断面図である。
【０１９０】
図１８は実施例９にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０１９１】
実施例９のズームレンズは、図１７に示すように、物体側より順に、正屈折力の第１レンズ群Ｇ１と、負屈折力の第２レンズ群Ｇ２と、開口絞りＳと、正屈折力の第３レンズ群Ｇ３と、負屈折力の第４レンズ群Ｇ４と、正屈折力の第５レンズ群Ｇ５を有している。
【０１９２】
第１レンズ群Ｇ１は、物体側に凸面を向けた負メニスカスレンズＬ１と物体側に凸面を向けた負メニスカスレンズＬ２と物体側に凸面を向けた正メニスカスレンズＬ３との接合レンズと、物体側に凸面を向けた正メニスカスレンズＬ４で構成されており、全体で正の屈折力を有している。ここで、物体側に凸面を向けた負メニスカスレンズＬ２がレンズＬAで、物体側に凸面を向けた正メニスカスレンズＬ３がレンズＬBである。
【０１９３】
第２レンズ群Ｇ２は、物体側に凸面を向けた負メニスカスレンズＬ５と、像側に凸面を向けた正メニスカスレンズＬ６と両凹負レンズＬ７との接合レンズと、両凸正レンズＬ８と、像側に凸面を向けた負メニスカスレンズＬ９で構成されており、全体で負の屈折力を有している。ここで、像側に凸面を向けた正メニスカスレンズＬ６がレンズＬCで、両凹負レンズＬ７がレンズＬDである。
【０１９４】
第３レンズ群Ｇ３は、両凸正レンズＬ１０と、両凸正レンズＬ１１と像側に凸面を向けた負メニスカスレンズＬ１２との接合レンズで構成されており、全体で正の屈折力を有している。
【０１９５】
第４レンズ群Ｇ４は、像側に凸面を向けた正メニスカスレンズＬ１３と両凹負レンズＬ１４との接合レンズで構成されており、全体で負の屈折力を有している。
【０１９６】
第５レンズ群Ｇ５は、両凸正レンズＬ１５と、像側に凸面を向けた正メニスカスレンズＬ１６と像側に凸面を向けた正メニスカスレンズＬ１７と像側に凸面を向けた負メニスカスレンズＬ１８との接合レンズで構成されており、全体で正の屈折力を有している。
【０１９７】
広角端から望遠端へと変倍する際には、第１レンズ群Ｇ１は物体側へ移動し、第２レンズ群Ｇ２は中間位置まで物体側へ移動し、中間位置から像側へ移動し、開口絞りＳは物体側へ移動し、第３レンズ群Ｇ３は物体側へ移動し、第４レンズ群Ｇ４は物体側へ移動し、第５レンズ群Ｇ５は物体側へ移動する。
【０１９８】
非球面は、第１レンズ群Ｇ１中の物体側に凸面を向けた正メニスカスレンズＬ３の両面と、第２レンズ群Ｇ２中の物体側に凸面を向けた負メニスカスレンズＬ５の物体側の面と像側に凸面を向けた負メニスカスレンズＬ６の両面と両凹負レンズＬ７の像側の面、第５レンズ群Ｇ５中の両凸正レンズＬ１５の像側の面と像側に凸面を向けた正メニスカスレンズＬ１６の両面の合計９面に設けられている。
【０１９９】
次に、本発明の実施例１０にかかるズームレンズについて説明する。図１９は本発明の実施例１０にかかるズームレンズの無限遠物点合焦時の光学構成を示す光軸に沿う断面図であり、（ａ）は広角端、（ｂ）は中間焦点距離状態、（ｃ）は望遠端での断面図である。
【０２００】
図２０は実施例１０にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０２０１】
実施例１０のズームレンズは、図１９に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０２０２】
第１レンズ群Ｇ１は、両凸正レンズＬ１と、物体側に凸面を向けた負メニスカスレンズＬ２と、物体側に凸面を向けた正メニスカスレンズＬ３とで構成されており、全体で正の屈折力を有している。ここで、物体側に凸面を向けた負メニスカスレンズＬ２がレンズＬAである。
【０２０３】
第２レンズ群Ｇ２は、両凹負レンズＬ４と、両凸正レンズＬ５で構成されており、全体で負の屈折力を有している。
【０２０４】
第３レンズ群Ｇ３は、両凹負レンズＬ６と、両凸正レンズＬ７とで構成されており、全体で正の屈折力を有している。
【０２０５】
第４レンズ群Ｇ４は、両凸正レンズＬ８と像側に凸面を向けた負メニスカスレンズＬ９との接合レンズと、両凸正レンズＬ１０とで構成されており、全体で正の屈折力を有している。
【０２０６】
第５レンズ群Ｇ５は、両凹負レンズＬ１１と、両凹負レンズＬ１２と物体側に凸面を向けた正メニスカスレンズＬ１３との接合レンズで構成されており、全体で負の屈折力を有している。
【０２０７】
広角端から望遠端へと変倍する際には、第１レンズ群Ｇ１は物体側に移動し、第２レンズ群Ｇ２は物体側へ移動し、開口絞りＳは物体側へ移動し、第３レンズ群Ｇ３は物体側へ移動し、第４レンズ群Ｇ４は物体側へ移動し、第５レンズ群Ｇ５は物体側へ移動する。
【０２０８】
次に、本発明の実施例１１にかかるズームレンズについて説明する。図２１は本発明の実施例１１にかかるズームレンズの無限遠物点合焦時の光学構成を示す光軸に沿う断面図であり、（ａ）は広角端、（ｂ）は中間焦点距離状態、（ｃ）は望遠端での断面図である。
【０２０９】
図２２は実施例１１にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０２１０】
実施例１１のズームレンズは、図２１に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０２１１】
第１レンズ群Ｇ１は、両凸正レンズＬ１と、物体側に凸面を向けた負メニスカスレンズＬ２と物体側に凸面を向けた負メニスカスレンズＬ３と物体側に凸面を向けた正メニスカスレンズＬ４との接合レンズとで構成されており、全体で正の屈折力を有している。ここで、物体側に凸面を向けた負メニスカスレンズＬ３がレンズＬAで、物体側に凸面を向けた正メニスカスレンズＬ４がレンズＬBである。
【０２１２】
第２レンズ群Ｇ２は、両凹負レンズＬ５と、両凸正レンズＬ６で構成されており、全体で負の屈折力を有している。
【０２１３】
第３レンズ群Ｇ３は、両凹負レンズＬ７と、両凸正レンズＬ８とで構成されており、全体で正の屈折力を有している。
【０２１４】
第４レンズ群Ｇ４は、両凸正レンズＬ９と像側に凸面を向けた負メニスカスレンズＬ１０との接合レンズと、両凸正レンズＬ１１とで構成されており、全体で正の屈折力を有している。
【０２１５】
第５レンズ群Ｇ５は、両凹負レンズＬ１２と、両凹負レンズＬ１３と物体側に凸面を向けた正メニスカスレンズＬ１４との接合レンズで構成されており、全体で負の屈折力を有している。
【０２１６】
広角端から望遠端へと変倍する際には、第１レンズ群Ｇ１は物体側へ移動し、第２レンズ群Ｇ２は物体側へ移動し、開口絞りＳは物体側へ移動し、第３レンズ群Ｇ３は物体側へ移動し、第４レンズ群Ｇ４は物体側へ移動し、第５レンズ群Ｇ５は物体側へ移動する。
【０２１７】
非球面は、第１レンズ群Ｇ１中の物体側に凸面を向けた正メニスカスレンズＬ４の両面の合計２面に設けられている。
【０２１８】
次に、本発明の実施例１２にかかるズームレンズについて説明する。図２３は本発明の実施例１２にかかるズームレンズの無限遠物点合焦時の光学構成を示す光軸に沿う断面図であり、（ａ）は広角端、（ｂ）は中間焦点距離状態、（ｃ）は望遠端での断面図である。
【０２１９】
図２４は実施例１２にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０２２０】
実施例１２のズームレンズは、図２３に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。    
【０２２１】
第１レンズ群Ｇ１は、両凸正レンズＬ１と、物体側に凸面を向けた負メニスカスレンズＬ２と物体側に凸面を向けた負メニスカスレンズＬ３と物体側に凸面を向けた正メニスカスレンズＬ４との接合レンズとで構成されており、全体で正の屈折力を有している。ここで、物体側に凸面を向けた負メニスカスレンズＬ３がレンズＬAで、物体側に凸面を向けた正メニスカスレンズＬ４がレンズＬBである。
【０２２２】
第２レンズ群Ｇ２は、両凹負レンズＬ５と、両凸正レンズＬ６で構成されており、全体で負の屈折力を有している。
【０２２３】
第３レンズ群Ｇ３は、両凹負レンズＬ７と、両凸正レンズＬ８とで構成されており、全体で正の屈折力を有している。
【０２２４】
第４レンズ群Ｇ４は、両凸正レンズＬ９と像側に凸面を向けた負メニスカスレンズＬ１０との接合レンズと、両凸正レンズＬ１１とで構成されており、全体で正の屈折力を有している。
【０２２５】
第５レンズ群Ｇ５は、両凹負レンズＬ１２と、両凹負レンズＬ１３と物体側に凸面を向けた正メニスカスレンズＬ１４との接合レンズで構成されており、全体で負の屈折力を有している。
【０２２６】
広角端から望遠端へと変倍する際には、第１レンズ群Ｇ１は物体側へ移動し、第２レンズ群Ｇ２は物体側へ移動し、開口絞りＳは物体側へ移動し、第３レンズ群Ｇ３は物体側へ移動し、第４レンズ群Ｇ４は物体側へ移動し、第５レンズ群Ｇ５は物体側へ移動する。
【０２２７】
非球面は、第１レンズ群Ｇ１中の物体側に凸面を向けた正メニスカスレンズＬ４の両面の合計２面に設けられている。
【０２２８】
次に、本発明の実施例１３にかかるズームレンズについて説明する。図２５は本発明の実施例１３にかかるズームレンズの無限遠物点合焦時の光学構成を示す光軸に沿う断面図であり、（ａ）は広角端、（ｂ）は中間焦点距離状態、（ｃ）は望遠端での断面図である。
【０２２９】
図２６は実施例１３にかかるズームレンズの無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。
【０２３０】
実施例１３のズームレンズは、図２５に示すように、物体側より順に、正屈折力の第１レンズ群Ｇ１と、負屈折力の第２レンズ群Ｇ２と、開口絞りＳと、正屈折力の第３レンズ群Ｇ３と、正屈折力の第４レンズ群Ｇ４と、負屈折力の第５レンズ群Ｇ５を有している。
【０２３１】
第１レンズ群Ｇ１は、両凸正レンズＬ１と、物体側に凸面を向けた負メニスカスレンズＬ２と物体側に凸面を向けた負メニスカスレンズＬ３と物体側に凸面を向けた正メニスカスレンズＬ４との接合レンズとで構成されており、全体で正の屈折力を有している。ここで、物体側に凸面を向けた負メニスカスレンズＬ３がレンズＬAで、物体側に凸面を向けた正メニスカスレンズＬ４がレンズＬBである。
【０２３２】
第２レンズ群Ｇ２は、両凹負レンズＬ５と、両凸正レンズＬ６で構成されており、全体で負の屈折力を有している。
【０２３３】
第３レンズ群Ｇ３は、両凹負レンズＬ７と、両凸正レンズＬ８とで構成されており、全体で正の屈折力を有している。
【０２３４】
第４レンズ群Ｇ４は、両凸正レンズＬ９と像側に凸面を向けた負メニスカスレンズＬ１０との接合レンズと、両凸正レンズＬ１１とで構成されており、全体で正の屈折力を有している。
【０２３５】
第５レンズ群Ｇ５は、両凹負レンズＬ１２と、両凹負レンズＬ１３と物体側に凸面を向けた正メニスカスレンズＬ１４との接合レンズで構成されており、全体で負の屈折力を有している。
【０２３６】
広角端から望遠端へと変倍する際には、第１レンズ群Ｇ１は物体側へ移動し、第２レンズ群Ｇ２は物体側へ移動し、開口絞りＳは物体側へ移動し、第３レンズ群Ｇ３は物体側へ移動し、第４レンズ群Ｇ４は物体側へ移動し、第５レンズ群Ｇ５は物体側へ移動する。
【０２３７】
非球面は、第１レンズ群Ｇ１中の物体側に凸面を向けた正メニスカスレンズＬ４の両面の合計２面に設けられている。
【０２３８】
次に、上記各実施例のズームレンズを構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、aspは非球面、STOは絞りをそれぞれ示している。
【０２３９】
また、非球面形状は、光軸方向をｚ、光軸に直交する方向をｙにとり、円錐係数をＫ、非球面係数をＡ４、Ａ６、Ａ８、Ａ１０としたとき、次の式で表される。
ｚ＝（ｙ2／ｒ）／［１＋｛１−（１＋Ｋ）（ｙ／ｒ）2｝1/2］
＋Ａ４ｙ4＋Ａ６ｙ6＋Ａ８ｙ8＋Ａ１０ｙ10
また、Ｅは１０のべき乗を表している。なお、これら諸元値の記号は後述の実施例の数値データにおいても共通である。
【０２４０】
数値実施例１
単位  mm
面データ
面番号       r            d              nd         νd
物面         ∞           ∞   
1         23.1977       3.5207        1.49700       81.54   
2        148.0579       0.2000       
3*       107.4659       0.1000        1.63494       23.22  
4*        35.0000       2.2000        1.69680       55.53   
5       -554.5214       可変    
6*        59.5923       0.8400        1.83481       42.71   
7          5.2158       3.2299    
8         34.8347       2.2000        1.84666       23.78   
9        -12.2507       0.6000        1.77377       47.18   
10*       45.6624       可変    
11(絞り)     ∞         可変      
12*        6.4156       3.6978        1.58913       61.14   
13*      -12.9234       0.1000  
14         9.5511       1.6000        1.80440       39.59   
15       -24.1977       0.6500        1.80518       25.42   
16         4.4231       可変    
17*       11.2945       2.2078        1.53071       55.69    
18*        1.855E+05    可変   
19           ∞         0.4000        1.54771       62.84   
20           ∞         0.5000     
21           ∞         0.5000        1.51633       64.14   
22           ∞         0.4602        
像面         ∞         
非球面データ
第３面
K=0.,
A2=0.0000E+00,A4=-7.3531E-06,A6=2.5064E-08,A8=0.0000E+00,
A10=0.0000E+00
第４面
K=0.,
A2=0.0000E+00,A4=1.9105E-05,A6=-3.3995E-07,A8=0.0000E+00,
A10=0.0000E+00
第６面
K=0.,
A2=0.0000E+00,A4=2.9908E-05,A6=-5.3522E-07,A8=0.0000E+00,
A10=0.0000E+00
第１０面
K=0.,
A2=0.0000E+00,A4=-3.6654E-04,A6=3.9815E-06,A8=-5.6860E-07,
A10=0.0000E+00
第１２面
K=0.,
A2=0.0000E+00,A4=-6.0088E-04,A6=3.6948E-06,A8=0.0000E+00,
A10=0.0000E+00
第１３面
K=0.,
A2=0.0000E+00,A4=3.9617E-04,A6=9.6988E-06,A8=0.0000E+00,
A10=0.0000E+00
第１７面
K=0.,
A2=0.0000E+00,A4=-1.4828E-04,A6=8.7116E-06,A8=0.0000E+00,
A10=0.0000E+00
第１８面
K=0.,
A2=0.0000E+00,A4=-2.4200E-04,A6=7.5175E-06,A8=0.0000E+00,
A10=0.0000E+00
各種データ
ズーム比
広角         中間          望遠
焦点距離          4.96405     13.63292      35.47571       
Fno.              3.3108       3.6838        5.2238         
画角             39.2°       15.2°         6.0° 
像高              3.84         3.84          3.84
レンズ全長       44.7210      49.8650       57.4742
BF                0.46015      0.45212       0.46517   
d5                0.12244      9.68169      16.67182
d10              11.13246      0.81368       1.12172
d11               4.02245      5.38782       0.30000
d16               3.15447      7.00336      14.85719
d18               3.28282      3.98010       1.51215
ズームレンズ群データ
群      始画        焦点距離
1         1          37.53685    
2         6          -7.83895    
3        12          10.44420  
4        17          21.28311  
〔硝材屈折率テーブル〕・・・ 本実施例にて使用した媒質の波長別屈折率一覧
GLA                  587.56   656.27   486.13   435.84   404.66
L11                 1.547710 1.545046 1.553762 1.558427 1.562262
L2                  1.634940 1.627290 1.654640 1.671320 1.686320
L10                 1.530710 1.527870 1.537400 1.542740 1.547272
L6                  1.773770 1.768840 1.785240 1.794360 1.802020
L5,L7               1.589130 1.586188 1.595824 1.601033 1.605348
L12                 1.516330 1.513855 1.521905 1.526213 1.529768
L1                  1.496999 1.495136 1.501231 1.504506 1.507205
L4                  1.834807 1.828975 1.848520 1.859547 1.868911
L8                  1.804398 1.798376 1.818696 1.830336 1.840332
L3                  1.696797 1.692974 1.705522 1.712339 1.718005
L5                  1.846660 1.836488 1.872096 1.894186 1.914294
L9                  1.805181 1.796106 1.827775 1.847283 1.864939
【０２４１】
数値実施例２
単位  mm
面データ
面番号       r            d             nd         νd
物面         ∞           ∞   
1         33.5302       1.0000       2.14352       17.77   
2         13.0200       2.8000   
3            ∞        10.8000       1.80610       40.92   
4            ∞         0.2000       
5*        18.7896       2.8000       1.88300       40.76   
6*       -20.0286       0.1000       1.70000       20.00   
7*       -31.6031       可変  
8         75.8920       0.5000       1.83481       42.71  
9*        10.5641       1.5000       
10       -13.8038       0.5000       1.80610       40.92   
11        13.4678       1.4000       1.94595       17.98  
12      -115.7257       可変   
13(絞り)     ∞         可変    
14*        7.9429       2.5000       1.83481       42.71    
15*      -30.4191       0.1500     
16         9.6994       1.6000       1.69680       55.53  
17       -89.7038       0.5000       2.00069       25.46   
18         5.4225       可変     
19*       10.1594       1.6000       1.53071       55.69   
20        54.6363       可変  
21*      -14.9981       0.6000       2.14352       17.77   
22        29.2740       2.2000       1.48749       70.23   
23        -7.1550       0.6000  
24           ∞         0.8000       1.51633       64.14  
25           ∞         0.7510       
像面         ∞         
非球面データ
第５面
K=0.0655,
A2=0.0000E+00,A4=-9.2667E-06,A6=6.8548E-09,A8=-8.0725E-09,
A10=0.0000E+00
第６面
K=0.0250,
A2=0.0000E+00,A4=-2.7424E-05,A6=1.8361E-07,A8=-4.4513E-08,
A10=0.0000E+00
第７面
K=-0.0507,
A2=0.0000E+00,A4=4.8687E-05,A6=-3.3335E-07,A8=7.0000E-09,
A10=0.0000E+00
第９面
K=-0.9591,
A2=0.0000E+00,A4=1.3136E-04,A6=4.8185E-06,A8=1.9768E-07,
A10=0.0000E+00
第１４面
K=-0.6101,
A2=0.0000E+00,A4=-1.0206E-04,A6=5.8873E-06,A8=-1.2341E-08,
A10=0.0000E+00
第１５面
K=-0.2123,
A2=0.0000E+00,A4=6.9314E-05,A6=8.5602E-06,A8=-1.0338E-07,
A10=0.0000E+00
第１９面
K=0.0419,
A2=0.0000E+00,A4=-2.5292E-04,A6=1.6702E-05,A8=-6.5176E-07,
A10=0.0000E+00
第２１面
K=0.2897,
A2=0.0000E+00,A4=1.6850E-04,A6=-2.9538E-05,A8=9.8052E-07,
A10=0.0000E+00
各種データ
ズーム比
広角        中間         望遠
焦点距離          6.02043     13.47021     29.88076       
Fno.              3.0564       4.1881       5.9000          
画角             36.6°       16.0°        7.2° 
像高              3.84         3.84         3.84
レンズ全長       60.9503      60.9503      60.9852
BF                0.75096      0.75706      0.78585   
d7                0.60013      5.32442      9.12354
d12               9.92425      5.19928      1.40085
d13               9.36213      5.00942      1.20080
d18               2.93777      7.34651     14.82389
d20               5.22509      5.16361      1.50028
ズームレンズ群データ
群      始画        焦点距離
1         1          16.47210 
2         8          -9.07678   
3        14          13.61576   
4        19          23.22613 
5        21         -51.13295  
〔硝材屈折率テーブル〕・・・ 本実施例にて使用した媒質の波長別屈折率一覧
GLA                 587.56   656.27   486.13   435.84   404.66
L4                 1.699997 1.690357 1.725353 1.747096 1.766956
L11                1.530710 1.527870 1.537400 1.542740 1.547272
L7                 1.945950 1.931230 1.983830 2.018254 2.051060
L1,L12             2.143520 2.125601 2.189954 2.232324 2.273184
L14                1.516330 1.513855 1.521905 1.526213 1.529768
L13                1.487490 1.485344 1.492285 1.495963 1.498983
L2,L6              1.806098 1.800248 1.819945 1.831173 1.840781
L5,L8              1.834807 1.828975 1.848520 1.859547 1.868911
L3                 1.882997 1.876560 1.898221 1.910495 1.920919
L9                 1.696797 1.692974 1.705522 1.712339 1.718005
L10                2.000690 1.989410 2.028720 2.052834 2.074600
【０２４２】
数値実施例３
単位  mm
面データ
面番号       r            d             nd          νd
物面         ∞           ∞   
1         55.8091       1.0000        2.00069       25.46    
2         11.8214       1.7000     
3           ∞          9.5000        2.14352       17.77    
4           ∞          0.2000         
5*        11.7283       0.1000        1.69000       21.70    
6         10.3598       2.8000        1.74320       49.34   
7        -22.5466       可変   
8         67.1776       0.5000        1.80400       46.57    
9         13.6832       0.4000     
10       -78.2389       0.5000        1.78800       47.37    
11        29.6750       0.5000     
12       -12.3113       0.5000        1.77250       49.60    
13         4.2337       1.0000        1.80810       22.76    
14        11.2019       可変          
15(絞り)    ∞          0.8000     
16*        9.6468       1.5000        1.51633       64.14   
17       -36.8259       可変       
18*       17.5174       1.8000        1.74320       49.34    
19        -6.8539       0.5000        1.80810       22.76   
20       -13.6328       可変     
21       -22.6123       0.6000        2.09500       29.40    
22        19.9180       8.2728            
23*       22.5151       1.5000        1.52540       56.25    
24       -33.8010       可変        
25          ∞          0.8000        1.51633       64.14    
26          ∞          0.7967         
像面        ∞          
非球面データ
第５面
K=-0.0305,
A2=0.0000E+00,A4=-1.3222E-04,A6=-4.8278E-07,A8=-2.4643E-09,
A10=0.0000E+00
第１６面
K=0.1581,
A2=0.0000E+00,A4=-2.2541E-04,A6=-8.4461E-06,A8=4.0248E-07,
A10=0.0000E+00
第１８面
K=-0.2366,
A2=0.0000E+00,A4=-2.9206E-04,A6=2.7012E-06,A8=-1.3860E-07,
A10=0.0000E+00
第２３面
K=-0.2751,
A2=0.0000E+00,A4=8.7867E-05,A6=-1.3933E-05,A8=1.1045E-07,
A10=0.0000E+00
各種データ
ズーム比
広角        中間         望遠
焦点距離          6.05817     13.53337     29.95427       
Fno.              3.9288       4.3062       5.0265         
画角             36.7°       16.1°        7.2° 
像高              3.84         3.84         3.84
レンズ全長       58.4117      58.4150      58.4105
BF                0.75096      0.78036      0.79562   
d7                0.49323      5.39584      8.78313
d14               9.67907      4.75700      1.38908
d17               6.11543      3.87943      1.69497
d20               3.38318      5.65823      7.80357
ズームレンズ群データ
群      始画        焦点距離
1         1          14.43680   
2         8          -4.37921  
3        16          14.96959  
4        18          11.17264 
5        21         -32.98395  
〔硝材屈折率テーブル〕・・・ 本実施例にて使用した媒質の波長別屈折率一覧
GLA                  587.56   656.27   486.13   435.84   404.66
L13                 1.525399 1.522577 1.531916 1.537043 1.541302
L12                 2.094997 2.084179 2.121419 2.143451 2.162626
L3                  1.689997 1.681152 1.712946 1.732792 1.750991
L2                  2.143520 2.125601 2.189954 2.232324 2.273184
L9                  1.516330 1.513855 1.521905 1.526213 1.529768
L14                 1.516330 1.513855 1.521905 1.526213 1.529768
L6                  1.788001 1.782998 1.799634 1.808881 1.816664
L5                  1.804000 1.798815 1.816080 1.825698 1.833800
L7                  1.772499 1.767798 1.783374 1.791971 1.799174
L4,L10              1.743198 1.738653 1.753716 1.762046 1.769040
L8,L11              1.808095 1.798009 1.833513 1.855902 1.876580
L1                  2.000690 1.989410 2.028720 2.052834 2.074600
【０２４３】
数値実施例４
単位  mm
面データ
面番号       r            d             nd          νd
物面         ∞           ∞   
1         27.0323       0.9000        2.14352       17.77   
2         10.1288       2.3000               
3            ∞         9.6000        2.14352       17.77  
4            ∞         0.2000               
5*        68.3242       0.1000        1.62000       24.70    
6*        21.6875       2.4000        1.80610       40.92   
7*       -25.9921       0.1500     
8         20.0916       1.8000        1.80610       40.92    
9        -99.2426       可変      
10       -45.2490       0.5000        1.81600       46.62   
11        12.4776       0.9000         
12*      -15.3468       0.6000        1.69350       53.21  
13*       10.2225       0.5000        1.73000       16.50   
14*      105.0869       可変         
15(絞り)     ∞         可変           
16*        7.8328       2.5000        1.83481       42.71   
17*      -24.1306       0.1500        
18        14.5797       1.6000        1.69680       55.53    
19       -22.4539       0.5000        2.00069       25.46   
20         6.9812       可変         
21*       11.4268       1.6000        1.53071       55.69   
22      -121.9178       可変        
23        -7.9628       0.6000        2.14352       17.77  
24       -28.2303       2.0000        1.51633       64.14   
25        -6.4685       0.6000          
26           ∞         0.8000        1.51633       64.14   
27           ∞         0.7391   
像面         ∞        
非球面データ
第５面
K=-0.2528,
A2=0.0000E+00,A4=1.3586E-04,A6=-4.6108E-06 ,A8=7.7776E-08,
A10=0.0000E+00
第６面
K=0.1056,
A2=0.0000E+00,A4=-1.1753E-04,A6=1.1368E-05,A8=-2.6623E-07,
A10=0.0000E+00
第７面
K=-0.0828,
A2=0.0000E+00,A4=5.0201E-05,A6=-8.4172E-07,A8=-4.5670E-09,
A10=0.0000E+00
第１２面
K=-0.3270,
A2=0.0000E+00,A4=9.9154E-04,A6=-1.1128E-04,A8=4.3826E-06,
A10=0.0000E+00
第１３面
K=-1.0000,
A2=0.0000E+00,A4=2.0000E-04,A6=0.0000E+00,A8=0.0000E+00,
A10=0.0000E+00
第１４面
K=2.8538,
A2=0.0000E+00 ,A4=7.4615E-04,A6=-8.0973E-05,A8=3.7632E-06,
A10=0.0000E+00
第１６面
K=-0.5905,
A2=0.0000E+00,A4=1.5723E-04,A6=1.2459E-05,A8=1.3763E-06,
A10=0.0000E+00
第１７面
K=-0.7393,
A2=0.0000E+00,A4=5.4163E-04,A6=9.1504E-06,A8=2.5518E-06,
A10=0.0000E+00
第２１面
K=-0.6972,
A2=0.0000E+00,A4=-1.6296E-04,A6=2.1867E-05,A8=-7.9065E-07,
A10=0.0000E+00
各種データ
ズーム比
広角        中間         望遠
焦点距離          6.01672     13.45101     29.87271       
Fno.              3.4418       4.0614       5.9000         
画角             36.3°       16.1°        7.2° 
像高              3.84         3.84         3.84
レンズ全長       56.9538     56.9057       56.9538
BF                0.73909     0.74264       0.78558  
d9                0.59805     5.39530       8.12345
d14               8.92039     4.13006       1.39503
d15               7.09122     4.89476       1.19759
d20               3.58210     5.44621      13.65163
d22               5.67645     5.99669       1.50055
ズームレンズ群データ
群      始画        焦点距離
1         1          12.94802   
2        10          -7.31853   
3        16          12.96068  
4        21          19.76830   
5        23         -40.35543  
〔硝材屈折率テーブル〕・・・ 本実施例にて使用した媒質の波長別屈折率一覧
GLA                  587.56   656.27   486.13   435.84   404.66
L3                  1.619998 1.612948 1.638046 1.651657 1.662921
L8                  1.729996 1.718099 1.762336 1.790236 1.816049
L12                 1.530710 1.527870 1.537400 1.542740 1.547272
L1,L2,L13           2.143520 2.125601 2.189954 2.232324 2.273190
L14                 1.516330 1.513855 1.521905 1.526213 1.529768
L15                 1.516330 1.513855 1.521905 1.526213 1.529768
L4,L5               1.806098 1.800248 1.819945 1.831173 1.840781
L9                  1.834807 1.828975 1.848520 1.859547 1.868911
L6                  1.816000 1.810749 1.828252 1.837996 1.846185
L7                  1.693501 1.689548 1.702582 1.709715 1.715662
L10                 1.696797 1.692974 1.705522 1.712339 1.718005
L11                 2.000690 1.989410 2.028720 2.052834 2.074603
【０２４４】
数値実施例５
単位  mm
面データ
面番号       r            d             nd          νd
物面         ∞           ∞   
1         27.4196       3.3739        1.65160       58.55   
2        291.1713       0.2000      
3        130.0000       0.1000        1.63494       23.22   
4*        35.0000       2.0000        1.69680       55.53    
5        178.5735       可変   
6*        26.2243       0.8400        1.83481       42.71    
7          5.7000       4.0000         
8*       -61.0455       1.5990        1.63494       23.22   
9         -8.0221       0.7000        1.53071       55.69    
10*       44.1633       可変          
11(絞り)    ∞          可変        
12*        5.9795       2.3320        1.63000       64.00    
13*      -18.6459       0.1000       
14         7.4112       1.6000        1.80440       39.59   
15        -7.374E+05    0.6500        1.80518       25.42  
16         3.6952       可変        
17*        8.3966       2.2078        1.53071       55.69    
18*       20.2640       可変        
19           ∞         0.4000        1.54771       62.84   
20           ∞         0.5000     
21           ∞         0.5000        1.51633       64.14   
22           ∞         0.5503       
像面         ∞         
非球面データ
第４面
K=0.,
A2=0.0000E+00,A4=-3.0716E-05,A6=0.0000E+00,A8=0.0000E+00,
A10=0.0000E+00
第６面
K=0.,
A2=0.0000E+00,A4=1.4369E-05,A6=-8.9630E-07,A8=0.0000E+00,
A10=0.0000E+00
第８面
K=0.,
A2=0.0000E+00,A4=-4.9225E-04,A6=0.0000E+00,A8=0.0000E+00,
A10=0.0000E+00
第１０面
K=0.,
A2=0.0000E+00,A4=-8.0665E-04,A6=2.7109E-06,A8=-1.8713E-07,
A10=0.0000E+00
第１２面
K=0.,
A2=0.0000E+00,A4=-6.0868E-04,A6=6.7552E-06,A8=0.0000E+00,
A10=0.0000E+00
第１３面
K=0.,
A2=0.0000E+00,A4=2.9001E-04,A6=1.7975E-05,A8=0.0000E+00,
A10=0.0000E+00
第１７面
K=0.,
A2=0.0000E+00,A4=-1.1508E-03,A6=-1.6526E-05,A8=0.0000E+00,
A10=0.0000E+00
第１８面
K=0.,
A2=0.0000E+00,A4=-2.8523E-03,A6=2.6043E-05,A8=0.0000E+00,
A10=0.0000E+00
各種データ
ズーム比
広角        中間         望遠
焦点距離          4.96645     13.32333     35.51685       
Fno.              3.1079       3.7323       5.0760        
画角             39.4°       16.0°        6.3° 
像高              3.84         3.84         3.84
レンズ全長      44.2002       47.7406      56.0159
BF               0.55033       0.59565      0.92544  
d5               0.06572       8.90974     16.35935
d10             12.52858       2.48211      0.30000
d11              3.46018       3.87003      0.30000
d16              5.84018       9.42789     15.67270
d18              0.65259       1.35255      1.35580
ズームレンズ群データ
群      始画        焦点距離
1        1           41.03289    
2        6           -7.90604  
3       12            9.64222  
4       17           25.37883  
〔硝材屈折率テーブル〕・・・ 本実施例にて使用した媒質の波長別屈折率一覧
GLA                  587.56   656.27   486.13   435.84   404.66
L7                  1.629999 1.627002 1.636844 1.642180 1.646586
L11                 1.547710 1.545046 1.553762 1.558427 1.562262
L2,L5               1.634940 1.627290 1.654640 1.671600 1.687050
L6,L10              1.530710 1.527870 1.537400 1.542740 1.547272
L12                 1.516330 1.513855 1.521905 1.526213 1.529768
L4                  1.834807 1.828975 1.848520 1.859547 1.868911
L8                  1.804398 1.798376 1.818696 1.830336 1.840332
L3                  1.696797 1.692974 1.705522 1.712339 1.718005
L1                  1.651597 1.648207 1.659336 1.665373 1.670384
L9                  1.805181 1.796106 1.827775 1.847283 1.864939
【０２４５】
数値実施例６
単位  mm
面データ
面番号       r            d              nd         νd
物面         ∞           ∞   
1         44.3954       4.5000        1.60311       60.64   
2       -201.7721       0.1000        1.73000       18.00    
3*      -480.0324       可変   
4        144.9385       0.8000        1.88300       40.76   
5         12.4326       2.3000       
6           ∞         10.0000        1.90366       31.32   
7           ∞          0.8000         
8*       -37.0329       1.0000        1.53071       55.69   
9         16.5163       1.0000        1.73000       18.00    
10*       56.8066       可変     
11(絞り)    ∞          0.5000      
12*       34.8704       2.7000        1.83481       42.71  
13       -34.9455       0.1500      
14         7.5599       2.7000        1.77250       49.60   
15        27.1437       0.5000        1.80810       22.76   
16         6.0778       可変    
17        24.0928       2.0000        1.69680       55.53  
18       348.3996       可変     
19         9.7340       2.0000        1.69350       53.21   
20*       14.9068       1.4000      
21           ∞         1.2000        1.51633       64.14  
22           ∞         1.5000    
像面         ∞         
非球面データ
第３面
K=10.4077,
A2=0.0000E+00,A4=5.3023E-07,A6=-1.4349E-09,A8=0.0000E+00,
A10=0.0000E+00
第８面
K=0.1788,
A2=0.0000E+00,A4=-6.2307E-05,A6=-4.8485E-06,A8=1.3504E-07,
A10=0.0000E+00
第１０面
K=0.2734,
A2=0.0000E+00,A4=-5.6928E-05,A6=-3.0969E-06,A8=1.2158E-07,
A10=0.0000E+00
第１２面
K=0.,
A2=0.0000E+00,A4=-3.0368E-05,A6=-1.2884E-07,A8=3.2428E-09,
A10=0.0000E+00
第２０面
K=-0.7492,
A2=0.0000E+00,A4=7.6830E-06,A6=-1.1962E-06,A8=0.0000E+00,
A10=0.0000E+00
各種データ
ズーム比
広角        中間         望遠
焦点距離          6.19931     13.86342     30.99985       
Fno.              2.8000       3.5653       4.7945        
画角             33.5°       14.4°        6.6° 
像高              3.60         3.60         3.60
レンズ全長       70.8087      87.1053      90.6636
BF                1.49999      1.49754      1.49959 
d3                0.79959     17.10053     20.65486
d10              23.09101     14.32111      1.80023
d16               4.37455     13.15211     10.01234
d18               7.39356      7.38400     23.04653
ズームレンズ群データ
群      始画        焦点距離
1        1           69.24373 
2        4          -11.29384  
3       12           18.80401 
4       17           37.05142  
5       19           34.91985  
〔硝材屈折率テーブル〕・・・ 本実施例にて使用した媒質の波長別屈折率一覧
GLA                 587.56   656.27   486.13   435.83   404.66
L2 L6              1.729996 1.718951 1.759502 1.785560 1.810041
L5                 1.530710 1.527870 1.537400 1.542740 1.547272
L12                1.516330 1.513855 1.521905 1.526214 1.529768
L1                 1.603112 1.600079 1.610024 1.615409 1.619870
L7                 1.834807 1.828975 1.848520 1.859548 1.868911
L3                 1.882997 1.876560 1.898221 1.910497 1.920919
L8                 1.772499 1.767798 1.783374 1.791972 1.799174
L11                1.693501 1.689548 1.702582 1.709715 1.715662
L10                1.696797 1.692974 1.705522 1.712340 1.718005
L9                 1.808095 1.798009 1.833513 1.855904 1.876580
L4                 1.903660 1.895260 1.924120 1.941280 1.956430
【０２４６】
数値実施例７
単位  mm
面データ
面番号       r            d             nd          νd
物面         ∞           ∞   
1*        46.9569       2.5000        1.74320       49.34    
2*       -27.8314       0.1000        1.70999       15.00   
3*       -49.6126       可変   
4         18.9563       0.6000        1.88300       40.76    
5          8.2025       2.5000      
6*       -17.7265       0.7500        1.70999       15.00    
7*        -8.0940       0.7000        1.74320       49.34    
8*        78.0187       可変    
9(絞り)    ∞           可変     
10*    -1165.2363       1.8000        1.74250       49.20  
11*      -10.9181       0.1500    
12         5.5456       2.7000        1.69680       55.53    
13        20.1924       0.6000        1.84666       23.78   
14         4.4884       4.0000             
15           ∞         可変           
16*        7.2960       2.7000        1.58313       59.46   
17        31.3979       可変        
18           ∞         0.5000        1.51633       64.14    
19           ∞         1.6759      
像面         ∞         
非球面データ
第１面
K=-0.6400,
A2=0.0000E+00,A4=1.8031E-05,A6=-5.2509E-08,A8=0.0000E+00,
A10=0.0000E+00
第２面
K=0.5932,
A2=0.0000E+00,A4=5.8900E-05,A6=-1.1620E-08,A8=0.0000E+00,
A10=0.0000E+00
第３面
K=-1.9040,
A2=0.0000E+00,A4=2.6901E-05,A6=-8.3532E-08,A8=0.0000E+00,
第６面
K=-0.7439,
A2=0.0000E+00,A4=-1.2287E-03,A6=2.7601E-05,A8=0.0000E+00,
A10=0.0000E+00
第７面
K=-1.3463,
A2=0.0000E+00,A4=-1.4902E-03,A6=4.9724E-05,A8=0.0000E+00,
A10=0.0000E+00
第８面
K=-7.5249,
A2=0.0000E+00,A4=-1.1186E-03,A6=3.1342E-05,A8=0.0000E+00,
A10=0.0000E+00
第１０面
K=8.3231,
A2=0.0000E+00,A4=-8.5879E-04,A6=-4.5376E-05,A8=0.0000E+00,
A10=0.0000E+00
第１１面
K=-1.0299,
A2=0.0000E+00,A4=-6.7496E-04,A6=-3.3358E-05,A8=0.0000E+00,
A10=0.0000E+00
第１６面
K=-1.0066,
A2=0.0000E+00,A4=3.8831E-05,A6=3.0882E-06,A8=0.0000E+00,
A10=0.0000E+00
各種データ
ズーム比
広角        中間         望遠
焦点距離          6.99699     15.65442     34.99900        
Fno.              2.8272       3.1965       3.7165        
画角             28.4°       12.6°        5.6° 
像高              3.60         3.60         3.60
レンズ全長       43.8578      47.5962      54.5318
BF                1.67590      1.66757      1.67552 
d3                0.50000      7.81786     14.22857
d8               14.22195      6.22436      1.50067
d9                0.80000      0.79787      0.79787
d15               4.17155      6.18924     12.10125
d17               2.88837      5.29926      4.62795
ズームレンズ群データ
群      始画        焦点距離
1         1          32.29465    
2         4          -8.23834   
3        10          12.53540 
4        16          15.65338
〔硝材屈折率テーブル〕・・・ 本実施例にて使用した媒質の波長別屈折率一覧
GLA                  587.56   656.27   486.13   435.84   404.66
L6                  1.742499 1.737967 1.753057 1.761415 1.768384
L2,L4               1.709995 1.696485 1.743813 1.771618 1.795992
L9                  1.583130 1.580140 1.589950 1.595245 1.599635
L10                 1.516330 1.513855 1.521905 1.526213 1.529768
L3                  1.882997 1.876560 1.898221 1.910495 1.920919
L7                  1.696797 1.692974 1.705522 1.712339 1.718005
L1,L5               1.743198 1.738653 1.753716 1.762046 1.769040
L8                  1.846660 1.836488 1.872096 1.894186 1.914294
【０２４７】
数値実施例８
単位  mm
面データ
面番号       r            d              nd         νd
物面         ∞           ∞   
1         91.3445       5.0062        1.48749      70.23  
2       -130.2672       0.1000        1.63594      19.03  
3       -709.4779       2.0025        1.72047      34.71 
4        872.8615       0.0751       
5         36.6924       4.5557        1.48749      70.23  
6        106.5132      27.4442      
7         23.7895       2.2178        1.58913      61.14 
8         23.8290       7.4192      
9(絞り)     ∞          1.0914         
10        20.2372       2.4030        1.59270      35.31  
11       113.0884       1.0012     
12      -182.9717       0.8511        1.77250      49.60  
13        18.5628      15.2690     
14          ∞          1.2516      
15          ∞          1.0012        1.51633      64.14  
16          ∞         38.2848      
像面        ∞         
各種データ
焦点距離        148.00034         
Fno.              4.5000        
画角              4.1°    
像高             10.83
レンズ全長      109.9740      
BF               38.28478     
〔硝材屈折率テーブル〕・・・ 本実施例にて使用した媒質の波長別屈折率一覧
GLA                  587.56   656.27   486.13   435.84   404.66
L2                  1.635937 1.625875 1.659289 1.678415 1.694608
L5                  1.589130 1.586188 1.595824 1.601033 1.605348
L8                  1.516330 1.513855 1.521905 1.526213 1.529768
L1,L4               1.487490 1.485344 1.492285 1.495963 1.498983
L6                  1.592701 1.587795 1.604580 1.614538 1.623339
L7                  1.772499 1.767798 1.783374 1.791971 1.799174
L3                  1.720467 1.714365 1.735123 1.747233 1.757768
【０２４８】
数値実施例９
単位  mm
面データ
面番号       r            d             nd         νd
物面         ∞           ∞   
1         34.5751       0.9000        1.92286       20.88   
2         29.1913       0.1000        1.74999       16.50   
3*        25.4815       6.0000        1.58313       59.38  
4*       314.0004       0.0601     
5         25.9845       2.2228        1.62299       58.16    
6         40.7367       可変    
7*        69.4607       0.6007        1.83481       42.71    
8          7.3935       2.8285    
9*       -16.0072       0.3004        1.74999       16.50   
10*      -13.2262       0.5006        1.83481       42.71    
11*       28.5653       0.0601     
12        16.6514       2.2628        1.75520       27.51   
13       -10.6512       0.3004      
14        -8.8917       0.4506        1.77250       49.60   
15       -44.1207       可変    
16(絞り)   ∞           0.4706     
17        22.0202       2.0425        1.48749       70.23   
18       -14.8470       0.0751     
19        14.4981       4.0701        1.48749       70.23    
20       -11.6584       0.4506        1.80518       25.42   
21       -35.2537       可変    
22       -22.1310       2.3479        1.74077       27.79    
23        -8.8529       0.4506        1.88300       40.76    
24       274.3842       可変    
25        38.4687       2.6083        1.58313       59.38   
26*      -11.4364       4.4055     
27*       -8.7631       0.7509        1.68893       31.07    
28*       -8.4343       0.5056        1.74999       16.50    
29        -7.7861       0.7509        1.80518       25.42   
30       -14.3542      20.1971     
像面         ∞         
非球面データ
第３面
K=0.,
A2=0.0000E+00,A4=4.3295E-07,A6=-2.4938E-09,A8=-1.5264E-12,
A10=0.0000E+00
第４面
K=0.,
A2=0.0000E+00,A4=-1.5609E-07,A6=1.3443E-09,A8=-1.4925E-12,
A10=0.0000E+00
第７面
K=0.,
A2=0.0000E+00,A4=1.8249E-05,A6=-3.5016E-07,A8=2.5792E-08,
A10= -2.0653E-10*
第９面
K=0.,
A2=0.0000E+00,A4=8.6804E-05,A6=-7.3599E-06,A8=1.1061E-07,
A10=0.0000E+00
第１０面
K=0.,
A2=0.0000E+00,A4=9.8201E-05,A6=-2.4212E-05,A8=8.3911E-07,
A10=.0000E+00
第１１面
K=0.,
A2=0.0000E+00,A4=8.0050E-05,A6=-8.9121E-06,A8=2.4583E-07,
A10=0.0000E+00
第２６面
K=0.,
A2=0.0000E+00,A4=5.3591E-05,A6=1.7802E-06,A8=-7.8715E-08,
A10=9.5111E-10*
第２７面
K=0.,
A2=0.0000E+00,A4=6.5272E-06,A6=2.9134E-07,A8=-2.8230E-08,
A10=0.0000E+00
第２８面
K=0.,
A2=0.0000E+00,A4=-1.3364E-04,A6=7.8279E-06,A8=-2.6447E-08,
A10=0.0000E+00
各種データ
ズーム比
広角         中間         望遠
焦点距離         14.43206     37.43593     96.99385       
Fno.              3.6303       4.6026       5.2236        
画角             40.7°       16.2°        6.3° 
像高             10.83        10.83        10.83
レンズ全長       70.6005      86.2912      95.6551
BF               20.19707     26.88791     29.91850 
d6                0.69926     14.66186     24.50799
d15               9.50650      5.13587      0.99195
d21               0.60773      2.30578      3.92617
d24               4.07442      1.78422      0.79499
d30              20.19707     26.88791     29.91850
ズームレンズ群データ
群      始画        焦点距離
1         1          46.57576   
2         7          -6.94370  
3        17          12.07063  
4        22         -18.63407 
5        25          25.52708 
〔硝材屈折率テーブル〕・・・ 本実施例にて使用した媒質の波長別屈折率一覧
GLA                  587.56   656.27   486.13   435.83   404.66
L2,L17              1.749986 1.737732 1.783180 1.811426 1.837231
L1                  1.922860 1.910380 1.954570 1.982810 2.009190
L3,L15              1.583126 1.580139 1.589960 1.595297 1.599721
L4                  1.622992 1.619739 1.630450 1.636296 1.641162
L10,L11             1.487490 1.485344 1.492285 1.495964 1.498983
L5,L6               1.834807 1.828975 1.848520 1.859548 1.868911
L14                 1.882997 1.876560 1.898221 1.910497 1.920919
L7,L9               1.772499 1.767798 1.783374 1.791972 1.799174
L13                 1.740769 1.733089 1.759746 1.775994 1.790587
L8                  1.755199 1.747295 1.774745 1.791497 1.806556
L12,L18             1.805181 1.796106 1.827775 1.847286 1.864939
L16                 1.688931 1.682495 1.704665 1.717975 1.729809
数値実施例１０
単位  mm
面データ
面番号       r            d             nd          νd
物面         ∞           ∞   
1         90.0725       2.5000        1.62000       62.19    
2       -314.2911       0.1500       
3         28.6778       1.2000        1.63259       23.27   
4         20.1975       0.3000     
5         20.1324       3.3000        1.53071       55.69   
6         45.8315       可変   
7        -35.1010       0.8000        1.83400       37.16    
8         20.2195       1.7000      
9         26.2024       1.8000        1.84666       23.78   
10      -116.8918       可変   
11(絞り)   ∞           2.5181      
12      -549.7641       0.8000        1.84666       23.78   
13        42.5758       1.3000     
14        45.5198       2.5000        1.60311       60.64   
15       -22.5935       可変         
16        33.2835       2.8000        1.48749       70.23   
17       -23.4195       0.8000        1.88300       40.76   
18      -343.4582       0.1001         
19        45.2325       1.8000        1.57099       50.80  
20       -59.4597       可変      
21      -112.0854       0.6000        1.83481       42.71   
22        39.1648       1.0000        
23       -41.1664       0.6000        1.83481       42.71  
24        15.6850       1.6020        1.80810       22.76    
25       246.6331      17.3433       
像面         ∞        
各種データ
ズーム比
広角          中間         望遠
焦点距離         50.99882      86.99466    146.98168      
Fno.              4.3502        5.3966       6.5000        
画角             12.0°         7.0°        4.2° 
像高             10.83         10.83        10.83
レンズ全長       77.2305       92.02232    105.9900
BF               17.34326      24.71477     36.64391 
d6                1.59994      14.14277     25.90088
d10              14.52984       6.64525      1.30021
d15               1.59994      10.34567     13.07461
d20              13.98725       8.00354      0.90013
d25              17.34326      24.71477     36.64391
ズームレンズ群データ
群      始画        焦点距離
1         1          65.34020   
2         7         -47.93128   
3        12          50.07675  
4        16          45.02105 
5        21         -18.15101  
〔硝材屈折率テーブル〕・・・ 本実施例にて使用した媒質の波長別屈折率一覧
GLA                  587.56   656.27   486.13   435.84   404.66
L1                  1.620000 1.616980 1.626940 1.632378 1.636893
L3                  1.530710 1.527870 1.537400 1.542740 1.547272
L2                  1.632590 1.624740 1.651920 1.668310 1.682930
L10                 1.570989 1.567616 1.578856 1.585136 1.590445
L7                  1.603112 1.600079 1.610024 1.615408 1.619870
L8                  1.487490 1.485344 1.492285 1.495963 1.498983
L11,L12             1.834807 1.828975 1.848520 1.859547 1.868911
L9                  1.882997 1.876560 1.898221 1.910495 1.920919
L4                  1.834000 1.827376 1.849819 1.862779 1.873964
L13                 1.808095 1.798009 1.833513 1.855902 1.876580
L5,L6               1.846660 1.836488 1.872096 1.894186 1.914294
【０２４９】
数値実施例１1
単位  mm
面データ
面番号       r            d            nd          νd
物面         ∞           ∞   
1         85.6703       2.5000       1.62000       62.19   
2       -320.5653       0.1500    
3         27.8938       1.2000       1.58364       30.30    
4         23.1118       0.1000       1.74999       16.50   
5*        20.7692       3.3000       1.53071       55.69    
6*        42.1712       可変       
7        -35.2632       0.8000       1.83400       37.16    
8         20.7524       1.7000     
9         26.4616       1.8000       1.84666       23.78    
10      -118.0708       可変     
11(絞り)   ∞           2.5181       
12      -328.7522       0.8000       1.84666       23.78    
13        42.8249       1.3000       
14        44.1743       2.5000       1.60311       60.64    
15       -23.0854       可変      
16        32.4415       2.8000       1.48749       70.23    
17       -24.4761       0.8000       1.88300       40.76    
18      -234.4812       0.1001      
19        45.9225       1.8000       1.57099       50.80    
20       -71.2028       可変     
21       -85.6670       0.6000       1.83481       42.71    
22        42.3352       1.0000          
23       -47.8824       0.6000       1.83481       42.71    
24        15.2033       1.6020       1.80810       22.76    
25       175.6499      17.0487   
像面         ∞        
非球面データ
第５面
K=0.,
A2=0.0000E+00,A4=9.8045E-08,A6=-1.6155E-08,A8=6.9006E-11,
A10=0.0000E+00
第６面
K=0.,
A2=0.0000E+00,A4=4.4388E-08,A6=7.0544E-09,A8=-3.6551E-11,
A10=0.0000E+00
各種データ
ズーム比
広角         中間         望遠
焦点距離         51.00234     86.99187     147.00024      
Fno.              4.3502       5.3966        6.5000         
画角             12.0°        7.0°         4.2° 
像高             10.83        10.83         10.83
レンズ全長       76.9054      91.6503      105.9896
BF               17.04872     24.58948      36.83090 
d6                1.60009     14.27915      25.89887
d10              14.70700      6.57313       1.30002
d15               1.60014     10.23608      13.08939
d20              13.97922      8.00216       0.90012
d25              17.04872     24.58948      36.83090
ズームレンズ群データ
群      始画        焦点距離
1         1          65.80677 
2         7         -49.49068 
3        12          52.77069 
4        16          44.01222 
5        21         -18.38333  
〔硝材屈折率テーブル〕・・・ 本実施例にて使用した媒質の波長別屈折率一覧
GLA                  587.56   656.27   486.13   435.84   404.66
L1                  1.620000 1.616980 1.626940 1.632378 1.636893
L3                  1.749986 1.737132 1.782580 1.810826 1.836631
L4                  1.530710 1.527870 1.537400 1.542740 1.547272
L2                  1.583640 1.578100 1.597360 1.608900 1.619141
L11                 1.570989 1.567616 1.578856 1.585136 1.590445
L8                  1.603112 1.600079 1.610024 1.615408 1.619870
L9                  1.487490 1.485344 1.492285 1.495963 1.498983
L12,L13             1.834807 1.828975 1.848520 1.859547 1.868911
L10                 1.882997 1.876560 1.898221 1.910495 1.920919
L5                  1.834000 1.827376 1.849819 1.862779 1.873964
L14                 1.808095 1.798009 1.833513 1.855902 1.876580
L6,L7               1.846660 1.836488 1.872096 1.894186 1.914294
【０２５０】
数値実施例１２
単位  mm
面データ
面番号       r            d             nd         νd
物面         ∞           ∞   
1         85.1981       2.5000       1.62000       62.19   
2       -328.3946       0.1500   
3         28.0251       1.2000       1.58364       30.30    
4         24.8387       0.1000       1.63494       23.22   
5*        19.3869       3.3000       1.53071       55.69    
6*        42.3908       可変     
7        -35.5160       0.8000       1.83400       37.16   
8         20.7714       1.7000         
9         26.4117       1.8000       1.84666       23.78   
10      -115.9611       可変     
11(絞り)   ∞           2.5181       
12      -296.5349       0.8000       1.84666       23.78   
13        42.6962       1.3000      
14        44.1750       2.5000       1.60311       60.64   
15       -23.1116       可変        
16        32.4342       2.8000       1.48749       70.23   
17       -24.4722       0.8000       1.88300       40.76   
18      -230.5420       0.1001          
19        45.9625       1.8000       1.57099       50.80  
20       -70.3355       可変      
21       -85.5517       0.6000       1.83481       42.71   
22        42.0489       1.0000        
23       -48.0636       0.6000       1.83481       42.71   
24        15.0943       1.6020       1.80810       22.76  
25       176.2681      16.6258       
像面         ∞          
非球面データ
第５面
K=0.,
A2=0.0000E+00,A4=4.2631E-08,A6=-3.7770E-08,A8=1.5162E-10,
A10=0.0000E+00
第６面
K=0.,
A2=0.0000E+00,A4=4.9623E-08,A6=7.3153E-09,A8=-3.7446E-11,
A10=0.0000E+00
各種データ
ズーム比
広角         中間          望遠
焦点距離         51.00063     86.99849     147.00115      
Fno.              4.3502       5.3966        6.5000         
画角             12.0°        7.0°         4.2° 
像高             10.83        10.83         10.83
レンズ全長       76.8876      91.6039      106.0020
BF               16.62584     24.54302      36.83888 
d6                1.99951     14.27069      25.90043
d10              14.70383      6.60343       1.30000
d15               1.59970     10.22865      13.09119
d20              13.98846      7.98787       0.90125
d25              16.62584     24.54302      36.83888
ズームレンズ群データ
群      始画        焦点距離
1         1          65.86299   
2         7         -50.50789   
3        12          53.72604    
4        16          43.73003  
5        21         -18.35637  
〔硝材屈折率テーブル〕・・・ 本実施例にて使用した媒質の波長別屈折率一覧
GLA                 587.56   656.27   486.13   435.84   404.66
L1                 1.620000 1.616980 1.626940 1.632378 1.636893
L3                 1.634940 1.626990 1.654340 1.671081 1.686175
L4                 1.530710 1.527870 1.537400 1.542740 1.547272
L2                 1.583640 1.578100 1.597360 1.608900 1.619141
L11                1.570989 1.567616 1.578856 1.585136 1.590445
L8                 1.603112 1.600079 1.610024 1.615408 1.619870
L9                 1.487490 1.485344 1.492285 1.495963 1.498983
L12,L13            1.834807 1.828975 1.848520 1.859547 1.868911
L10                1.882997 1.876560 1.898221 1.910495 1.920919
L5                 1.834000 1.827376 1.849819 1.862779 1.873964
L14                1.808095 1.798009 1.833513 1.855902 1.876580
L6,L7              1.846660 1.836488 1.872096 1.894186 1.914294
【０２５１】
数値実施例１３
単位  mm
面データ
面番号       r            d             nd         νd
物面        ∞           ∞   
1        84.6725       2.3000        1.62000       62.19    
2      -320.2587       0.1500      
3        28.0669       1.2000        1.53071       55.69   
4        25.3647       0.1000        1.63494       23.22    
5*       19.0036       3.2000        1.53071       55.69    
6*       42.4721       可変        
7       -36.2995       0.8000        1.83400       37.16    
8        20.7815       1.7000    
9        26.5113       2.2000        1.84666       23.78    
10     -116.2094       可変      
11(絞り) ∞            2.5181       
12     -295.5886       0.8000        1.84666       23.78    
13       42.9032       1.3000        
14       44.3236       2.8000        1.60311       60.64    
15      -23.2596       可変       
16       32.5764       2.7000        1.48749       70.23   
17      -24.5531       0.8000        1.88300       40.76    
18     -232.3460       0.1001       
19       46.3540       1.8000        1.57099       50.80   
20      -69.3559       可変       
21      -85.2917       0.6000        1.83481       42.71   
22       41.6213       1.0000       
23      -47.5731       0.6000        1.83481       42.71    
24       15.1028       1.6020        1.80810       22.76    
25      172.2812      16.5598   
像面        ∞        
非球面データ
第５面
K=0.,
A2=0.0000E+00,A4=-1.3954E-07,A6=-3.8597E-08,A8=1.4632E-10,
A10=0.0000E+00
第６面
K=0.,
A2=0.0000E+00,A4=5.6726E-08,A6=7.1276E-09,A8=-3.6072E-11,
A10=0.0000E+00
各種データ
ズーム比
広角         中間         望遠
焦点距離         51.00072     87.00024    147.00177      
Fno.              4.2504       5.3434       6.5000         
画角             12.0°        7.0°        4.1° 
像高             10.83        10.83        10.83
レンズ全長       77.1113      91.7951     106.0524
BF               16.55976     24.45136     36.58753 
d6                1.99996     14.26558     25.90162
d10              14.68569      6.60512      1.29970
d15               1.59990     10.22681     13.09215
d20              13.99574      7.97600      0.90111
d25              16.55976     24.45136     36.58753
ズームレンズ群データ
群      始画        焦点距離
1         1          65.57269    
2         7         -51.49579  
3        12          54.01050 
4        16          43.77634  
5        21         -18.17524    
〔硝材屈折率テーブル〕・・・ 本実施例にて使用した媒質の波長別屈折率一覧
GLA                 587.56   656.27   486.13   435.84   404.66
L1                 1.620000 1.616980 1.626940 1.632378 1.636893
L3                 1.634940 1.626990 1.654340 1.671081 1.686175
L2,L4              1.530710 1.527870 1.537400 1.542740 1.547272
L11                1.570989 1.567616 1.578856 1.585136 1.590445
L8                 1.603112 1.600079 1.610024 1.615408 1.619870
L9                 1.487490 1.485344 1.492285 1.495963 1.498983
L12,L13            1.834807 1.828975 1.848520 1.859547 1.868911
L10                1.882997 1.876560 1.898221 1.910495 1.920919
L5                 1.834000 1.827376 1.849819 1.862779 1.873964
L14                1.808095 1.798009 1.833513 1.855902 1.876580
L6,L7              1.846660 1.836488 1.872096 1.894186 1.914294
【０２５２】
以下、各実施例の条件式対応値を掲げる。＊＊＊は、該当しないことを示す。
実施例１      実施例２      実施例３      実施例４  
νd1            23.22         20.00         21.70         24.70  
ｎd1             1.63494       1.70000       1.69000       1.62000 
ｂ1              2.25491       2.23400       2.26939       2.27949  
θgF1            0.6099        0.6213        0.6242        0.5423 
βgF1            0.6712        0.6741        0.6815        0.6075  
θhg1            0.5484        0.5675        0.5724        0.4488 
βhg1            0.6385        0.6451        0.6566        0.5446   
νd2            55.53         40.76         49.34         40.92   
θgF2            0.5434        0.5669        0.5528        0.5703 
βgF2            0.6900        0.6745        0.6831        0.6783  
θhg2            0.4510        0.4811        0.4638        0.4881   
βhg2            0.6665        0.6392        0.6552        0.6469  
νd1−νd2     -32.31        -20.76        -27.64        -16.22   
θgF1−θgF2     0.0665        0.0544        0.0714       -0.0280 
θhg1−θhg2     0.0974        0.0864        0.1086       -0.0393 
νd3              ***           ***          ***          16.50   
ｎd3              ***           ***          ***           1.73000  
ｂ3               ***           ***          ***           2.17055 
θgF3             ***           ***          ***           0.6307   
βgF3             ***           ***          ***           0.6743  
θhg3             ***           ***          ***           0.5835  
βhg3             ***           ***          ***           0.6475  
νd4              ***           ***          ***          53.21    
θgF4             ***           ***          ***           0.5480   
βgF4             ***           ***          ***           0.6885  
θhg4             ***           ***          ***           0.4559  
βhg4             ***           ***          ***           0.6624  
νd3−νd4        ***           ***          ***         -36.71  
θgF3−θgF4      ***           ***          ***           0.0827 
θhg3−θhg4      ***           ***          ***           0.1276 
【０２５３】
実施例５      実施例６      実施例７    
νd1           23.22          18.00         15.00
ｎd1            1.63494        1.73000       1.70999
ｂ1             2.25491        2.21060       2.11049
θgF1           0.6201         0.6426        0.5875
βgF1           0.6814         0.6901        0.6271
θhg1           0.5649         0.6037        0.5150
βhg1           0.6550         0.6735        0.5732
νd2           55.53          60.64         49.34
θgF2           0.5434         0.5423        0.5528
βgF2           0.6900         0.7023        0.6831
θhg2           0.4510         0.4487        0.4638
βhg2           0.6665         0.6840        0.6552
νd1−νd2    -32.31         -42.64        -34.34
θgF1−θgF2    0.0767         0.1003        0.0347
θhg1−θhg2    0.1139         0.1550        0.0512
νd3           23.22          18.00         15.00
ｎd3            1.63494        1.73000       1.70999
ｂ3             2.25491        2.21060       2.11049
θgF3           0.6201         0.6426        0.5875
βgF3           0.6814         0.6901        0.6271
θhg3           0.5649         0.6037        0.5150
βhg3           0.6550         0.6735        0.5732
νd4           55.69          55.69         49.34
θgF4           0.5603         0.5603        0.5528
βgF4           0.7073         0.7073        0.6831
θhg4           0.4756         0.4756        0.4638
βhg4           0.6917         0.6917        0.6552
νd3−νd4    -32.47         -37.69        -34.34
θgF3−θgF4    0.0598         0.0823        0.0347
θhg3−θhg4    0.0893         0.1281        0.0512
【０２５４】
実施例８      実施例９      実施例10  
νd1            19.03         16.50         23.27  
ｎd1             1.63594       1.74999       1.63259    
ｂ1              2.14404       2.19054       2.25390  
θgF1            0.5724        0.6215        0.6030  
βgF1            0.6226        0.6651        0.6644 
θhg1            0.4846        0.5678        0.5379  
βhg1            0.5584        0.6318        0.6282  
νd2            70.23         59.38           ***   
θgF2            0.5302        0.5438         ***   
βgF2            0.7156        0.7006         ***   
θhg2            0.4351        0.4501         ***    
βhg2            0.7076        0.6805         ***   
νd1−νd2     -51.20        -42.88           *** 
θgF1−θgF2     0.0422        0.0777         ***
θhg1−θhg2     0.0495        0.1178         ***  
νd3              ***         16.50           *** 
ｎd3              ***          1.74999        *** 
ｂ3               ***          2.19054        ***  
θgF3             ***          0.6215         ***  
βgF3             ***          0.6651         ***   
θhg3             ***          0.5678         ***    
βhg3             ***          0.6318         *** 
νd4              ***         42.71           *** 
θgF4             ***          0.5645         *** 
βgF4             ***          0.6081         ***  
θhg4             ***          0.4790        ***  
βhg4             ***          0.6447         ***   
νd3−νd4        ***        -26.21           ***  
θgF3−θgF4      ***          0.0570         ***  
θhg3−θhg4      ***          0.0888         ***   
【０２５５】
実施例11      実施例12      実施例13
νd1            16.50         23.22         23.22
ｎd1             1.74999       1.63494       1.63494
ｂ1              2.19054       2.25491       2.25491
θgF1            0.6215        0.6121        0.6121
βgF1            0.6651        0.6734        0.6734
θhg1            0.5678        0.5519        0.5519
βhg1            0.6318        0.6420        0.6420
νd2            55.69         55.69         55.69
θgF2            0.5603        0.5603        0.5603
βgF2            0.7073        0.7073        0.7073
θhg2            0.4756        0.4756        0.4756
βhg2            0.6917        0.6917        0.6917
νd1−νd2     -39.19        -32.47        -32.47
θgF1−θgF2     0.0612        0.0518        0.0518
θhg1−θhg2     0.0922        0.0763        0.0763
νd3              ***           ***           ***
ｎd3              ***           ***           ***
ｂ3               ***           ***           ***
θgF3             ***           ***           ***
βgF3             ***           ***           ***
θhg3             ***           ***           ***
βhg3             ***           ***           ***
νd4              ***           ***           ***
θgF4             ***           ***           ***
βgF4             ***           ***           ***
θhg4             ***           ***           ***
βhg4             ***           ***           ***
νd3−νd4        ***           ***           ***
θgF3−θgF4      ***           ***           ***
θhg3−θhg4      ***           ***           ***
【０２５６】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０２５７】
図２７〜図２９に本発明による結像光学系をデジタルカメラの撮影光学系４１に組み込んだ構成の概念図を示す。図２７はデジタルカメラ４０の外観を示す前方斜視図、図２８は同後方斜視図、図２９はデジタルカメラ４０の光学構成を示す断面図である。
【０２５８】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１のズームレンズ４８を通して撮影が行われる。
【０２５９】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０２６０】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Eに導く接眼光学系５９が配置されている。
【０２６１】
このように構成されたデジタルカメラ４０によれば、撮影光学系４１の構成枚数を少なくした小型化・薄型化のズームレンズを有する電子撮像装置が実現できる。なお、本発明は、上述した沈胴式のデジタルカメラに限られず、屈曲光学系を採用する折り曲げ式のデジタルカメラにも適用できる。
【０２６２】
次に、本発明の結像光学系が対物光学系として内蔵された情報処理装置の一例であるパソコンを図３０〜図３２に示す。図３０はパソコン３００のカバーを開いた状態の前方斜視図、図３１はパソコン３００の撮影光学系３０３の断面図、図３２は図１４の側面図である。図３０〜図３２に示されるように、パソコン３００は、キーボード３０１と、情報処理手段や記録手段と、モニター３０２と、撮影光学系３０３とを有している。
【０２６３】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０２６４】
この撮影光学系３０３は、撮影光路３０４上に、例えば実施例１のズームレンズからなる対物光学系１００と、像を受光する電子撮像素子チップ１６２とを有している。これらはパソコン３００に内蔵されている。
【０２６５】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される。図３０には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０２６６】
次に、本発明の結像光学系が撮影光学系として内蔵された情報処理装置の一例である電話、特に持ち運びに便利な携帯電話を図３３に示す。図３３（a）は携帯電話４００の正面図、図３３（b）は側面図、図３３（c）は撮影光学系４０５の断面図である。図３３（a）〜（c）に示されるように、携帯電話４００は、マイク部４０１と、スピーカ部４０２と、入力ダイアル４０３と、モニター４０４と、撮影光学系４０５と、アンテナ４０６と、処理手段とを有している。
【０２６７】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行うためのものである。
【０２６８】
ここで、モニター４０４は液晶表示素子である。また、図中、各構成の配置位置は、特にこれらに限られない。この撮影光学系４０５は、撮影光路４０７上に配された対物光学系１００と、物体像を受光する電子撮像素子チップ１６２とを有している。対物光学系１００としては、例えば実施例１のズームレンズが用いられる。これらは、携帯電話４００に内蔵されている。
【０２６９】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０２７０】
なお、本発明は、その趣旨を逸脱しない範囲で様々な変形例をとることができる。
【図面の簡単な説明】
【０２７１】
【図１】本発明の実施例１にかかるズームレンズの（ａ）は広角端、（ｂ）は中間、（ｃ）は望遠端における無限遠物点合焦時の光学構成を示す光軸に沿う断面図である。
【図２】実施例１にかかるズームレンズの無限遠物点合焦時における球面収差、非点収差、歪曲収差、倍率色収差を示す図であり、（a）は広角端、（b）は中間、（c）は望遠端での状態を示している。
【図３】本発明の実施例２にかかるズームレンズの（ａ）は広角端、（ｂ）は中間、（ｃ）は望遠端における無限遠物点合焦時の光学構成を示す光軸に沿う断面図である。
【図４】実施例２にかかるズームレンズの無限遠物点合焦時における球面収差、非点収差、歪曲収差、倍率色収差を示す図であり、（a）は広角端、（b）は中間、（c）は望遠端での状態を示している。
【図５】本発明の実施例３にかかるズームレンズの（ａ）は広角端、（ｂ）は中間、（ｃ）は望遠端における無限遠物点合焦時の光学構成を示す光軸に沿う断面図である。
【図６】実施例３にかかるズームレンズの無限遠物点合焦時における球面収差、非点収差、歪曲収差、倍率色収差を示す図であり、（a）は広角端、（b）は中間、（c）は望遠端での状態を示している。
【図７】本発明の実施例４にかかるズームレンズの（ａ）は広角端、（ｂ）は中間、（ｃ）は望遠端における無限遠物点合焦時の光学構成を示す光軸に沿う断面図である。
【図８】実施例４にかかるズームレンズの無限遠物点合焦時における球面収差、非点収差、歪曲収差、倍率色収差を示す図であり、（a）は広角端、（b）は中間、（c）は望遠端での状態を示している。
【図９】本発明の実施例５にかかるズームレンズの（ａ）は広角端、（ｂ）は中間、（ｃ）は望遠端における無限遠物点合焦時の光学構成を示す光軸に沿う断面図である。
【図１０】実施例５にかかるズームレンズの無限遠物点合焦時における球面収差、非点収差、歪曲収差、倍率色収差を示す図であり、（a）は広角端、（b）は中間、（c）は望遠端での状態を示している。
【図１１】本発明の実施例６にかかるズームレンズの（ａ）は広角端、（ｂ）は中間、（ｃ）は望遠端における無限遠物点合焦時の光学構成を示す光軸に沿う断面図である。
【図１２】実施例６にかかるズームレンズの無限遠物点合焦時における球面収差、非点収差、歪曲収差、倍率色収差を示す図であり、（a）は広角端、（b）は中間、（c）は望遠端での状態を示している。
【図１３】本発明の実施例７にかかるズームレンズの（ａ）は広角端、（ｂ）は中間、（ｃ）は望遠端における無限遠物点合焦時の光学構成を示す光軸に沿う断面図である。
【図１４】実施例７にかかるズームレンズの無限遠物点合焦時における球面収差、非点収差、歪曲収差、倍率色収差を示す図であり、（a）は広角端、（b）は中間、（c）は望遠端での状態を示している。
【図１５】本発明の実施例８にかかるレンズの無限遠物点合焦時の光学構成を示す光軸に沿う断面図である。
【図１６】実施例８にかかるレンズの無限遠物点合焦時における球面収差、非点収差、歪曲収差、倍率色収差を示す図である。
【図１７】本発明の実施例９にかかるズームレンズの（ａ）は広角端、（ｂ）は中間、（ｃ）は望遠端における無限遠物点合焦時の光学構成を示す光軸に沿う断面図である。
【図１８】実施例９にかかるズームレンズの無限遠物点合焦時における球面収差、非点収差、歪曲収差、倍率色収差を示す図であり、（a）は広角端、（b）は中間、（c）は望遠端での状態を示している。
【図１９】本発明の実施例１０にかかるズームレンズの（ａ）は広角端、（ｂ）は中間、（ｃ）は望遠端における無限遠物点合焦時の光学構成を示す光軸に沿う断面図である。
【図２０】実施例１０にかかるズームレンズの無限遠物点合焦時における球面収差、非点収差、歪曲収差、倍率色収差を示す図であり、（a）は広角端、（b）は中間、（c）は望遠端での状態を示している。
【図２１】本発明の実施例１１にかかるズームレンズの（ａ）は広角端、（ｂ）は中間、（ｃ）は望遠端における無限遠物点合焦時の光学構成を示す光軸に沿う断面図である。
【図２２】実施例１１にかかるズームレンズの無限遠物点合焦時における球面収差、非点収差、歪曲収差、倍率色収差を示す図であり、（a）は広角端、（b）は中間、（c）は望遠端での状態を示している。
【図２３】本発明の実施例１２にかかるズームレンズの（ａ）は広角端、（ｂ）は中間、（ｃ）は望遠端における無限遠物点合焦時の光学構成を示す光軸に沿う断面図である。
【図２４】実施例１２にかかるズームレンズの無限遠物点合焦時における球面収差、非点収差、歪曲収差、倍率色収差を示す図であり、（a）は広角端、（b）は中間、（c）は望遠端での状態を示している。
【図２５】本発明の実施例１３にかかるズームレンズの（ａ）は広角端、（ｂ）は中間、（ｃ）は望遠端における無限遠物点合焦時の光学構成を示す光軸に沿う断面図である。
【図２６】実施例１３にかかるズームレンズの無限遠物点合焦時における球面収差、非点収差、歪曲収差、倍率色収差を示す図であり、（a）は広角端、（b）は中間、（c）は望遠端での状態を示している。
【図２７】本発明によるズーム光学系を組み込んだデジタルカメラ４０の外観を示す前方斜視図である。
【図２８】デジタルカメラ４０の後方斜視図である。
【図２９】デジタルカメラ４０の光学構成を示す断面図である。
【図３０】本発明のズーム光学系が対物光学系として内蔵された情報処理装置の一例であるパソコン３００のカバーを開いた状態の前方斜視図である。
【図３１】パソコン３００の撮影光学系３０３の断面図である。
【図３２】パソコン３００の側面図である。
【図３３】本発明のズーム光学系が撮影光学系として内蔵された情報処理装置の一例である携帯電話を示す図であり、（a）は携帯電話４００の正面図、（b）は側面図、（c）は撮影光学系４０５の断面図である。
【符号の説明】
【０２７２】
Ｇ１          第１レンズ群
Ｇ２          第２レンズ群
Ｇ３          第３レンズ群
Ｇ４          第４レンズ群
Ｇ５          第５レンズ群
Ｌ１〜Ｌ１８        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          ズームレンズ
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
2010026293.tif 000003
【図２】
2010026293.tif 000004
【図３】
2010026293.tif 000005
【図４】
2010026293.tif 000006
【図５】
2010026293.tif 000007
【図６】
2010026293.tif 000008
【図７】
2010026293.tif 000009
【図８】
2010026293.tif 000010
【図９】
2010026293.tif 000011
【図１０】
2010026293.tif 000012
【図１１】
2010026293.tif 000013
【図１２】
2010026293.tif 000014
【図１３】
2010026293.tif 000015
【図１４】
2010026293.tif 000016
【図１５】
2010026293.tif 000017
【図１６】
2010026293.tif 000018
【図１７】
2010026293.tif 000019
【図１８】
2010026293.tif 000020
【図１９】
2010026293.tif 000021
【図２０】
2010026293.tif 000022
【図２１】
2010026293.tif 000023
【図２２】
2010026293.tif 000024
【図２３】
2010026293.tif 000025
【図２４】
2010026293.tif 000026
【図２５】
2010026293.tif 000027
【図２６】
2010026293.tif 000028
【図２７】
2010026293.tif 000029
【図２８】
2010026293.tif 000030
【図２９】
2010026293.tif 000031
【図３０】
2010026293.tif 000032
【図３１】
2010026293.tif 000033
【図３２】
2010026293.tif 000034
【図３３】
2010026293.tif 000035